(57)【要約】【課題】多様な外形及び内部モザイク模様を見栄え良く形成でき、敷設に使い勝手の良いこと。【解決手段】短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の大ユニット畳Ｍの組み合わせによって床面構造体１を形成し、小ユニット畳Ｓと大ユニット畳Ｍが、インシュレーションボード１１及びプラスチック段ボール１２を芯材とし、更に芯材の上層に不織布からなるクッション材１３を配設し、また芯材の下層に合成樹脂製の裏面材１４を配設し積層した畳床１０に対して、合成樹脂で形成またはコーティング加工した畳表２０を被覆し、かつ、それらの裏面に合成樹脂発泡体からなる防滑材３０を取り付けてなる。【選択図】図１
2017115360.tif 000002
【特許請求の範囲】
【請求項１】
互いの１つの長辺を合わせることで正方形状を形成する所定寸法の長方形状の小ユニット畳と大ユニット畳の組み合わせからなり、前記小ユニット畳と前記大ユニット畳は、木質ボード、合成樹脂ボード、合成樹脂発泡体、コルクボード、炭化ボードのうちの何れか１種以上を芯材とし、更に、前記芯材の上層にクッション材を配設し、また前記芯材の下層に裏面材を配設して積層した畳床に対して、合成樹脂で形成またはコーティング加工した畳表を被覆し、かつ、それらの裏面に防滑材を取り付けてなることを特徴とする床面構造体。
【請求項２】
前記小ユニット畳は、短辺と長辺の比が２：５であり、前記大ユニット畳は短辺と長辺の比が３：５であることを特徴とする請求項１に記載の床面構造体。
【請求項３】
前記小ユニット畳は、所定規格の正方形状の半畳の対向する１対の辺において２：３のサイズ比で分割して、前記正方形状の半畳の２／５サイズで短辺と長辺の比を２：５としたものであり、前記大ユニット畳は、前記正方形状の半畳の３／５サイズで短辺と長辺の比を３：５としたものであることを特徴とする請求項１に記載の床面構造体。
【請求項４】
前記小ユニット畳は、短辺と長辺の比が２：５である３４０±２０ｍｍ×８５０ｍｍのサイズであり、前記大ユニット畳は短辺と長辺の比が３：５である５１０±２０ｍｍ×８５０ｍｍのサイズであることを特徴とする請求項１に記載の床面構造体。
【請求項５】
前記小ユニット畳と前記大ユニット畳の厚みは、共に１０〜２０ｍｍの範囲内であることを特徴とする請求項１乃至請求項４の何れか１つに記載の床面構造体。
【請求項６】
前記小ユニット畳と前記大ユニット畳を構成する前記畳床の前記芯材の厚みは、８ｍｍ〜１０ｍｍの範囲内とし、前記クッション材の厚みを０．１〜０．３ｍｍの範囲内とし、前記裏面材の厚みを０．２〜０．４ｍｍの範囲内とし、前記畳表の厚みを２．５〜３ｍｍの範囲内とし、前記防滑材の厚みを２〜４ｍｍの範囲内としたことを特徴とする請求項１乃至請求項５の何れか１つに記載の床面構造体。
【発明の詳細な説明】
【技術分野】
【０００１】
本発明は、適度な硬さと柔らかさを有する複数の畳によって形成される床面構造体に関するもので、特に、多様な形態を見栄え良く形成でき使い勝手が良い床面構造体に関するものである。
【背景技術】
【０００２】
従来、日本の家屋では、い草を主原料とした畳表及び稲藁を主原料とした畳床から形成された畳が我国独特の床材として使用され日本人の住生活に密着し、人々は畳の上で座って食事をしたり身体を横にして寝転んだりして生活していた。
ところが、近年、生活様式（ライフスタイル）の多様化に伴い、日本の家屋でも洋風化が進んで洋室が主流となり、床面を木質系のフローリング（板敷き床）とすることが増えている。しかし、木質系のフローリングでは、カーペット等の敷物を敷いても、畳と異なり硬く柔らかさやクッション性に乏しいため、床面に直接座ったり寝転んだりしても快適に寛ぐことができない。
そこで、最近では、伝統的な和風の住宅様式の風合いや生活様式の良さを見直し、洋風の住宅様式でも和風テイストを住空間に取り入れる人が増加している。例えば、洋間のフローリング床に所要枚数の所謂、置き畳を敷設したり、洋風建築家屋の一室の床面に畳を敷き詰めて和室を形成したりすることが行われている。特に、高齢者は和風を好み、また、乳幼児が居る家でも、畳が適度な硬さと柔らかさを有し、防音や吸音効果も兼ね備えていることからその利用が増大している。
【０００３】
ここで、建築物建造の際の設計や建築の負担を軽減するため、従来の和室内の床一面に敷きつめられる畳には地方によりその寸法に異なりがあるものの一定の規格があり、縦横比が２：１の長方形の一畳サイズと、それを半分にした正方形の半畳サイズの２種類が存在する。例えば、四畳半の部屋では、一畳タイプが４枚、半畳タイプが１枚敷かれることになる。
また、洋間のフローリング床に敷設する置き畳としては、部屋の構造・間取りや生活様式に合わせた配列が可能で手軽に敷設や取り外しをすることができることから、半畳タイプ（縦横比が１：１）の正方形の薄畳が多く市場に流通している。
そして、置き畳では、嗜好の多様化と相俟って、部屋の構造・間取りや生活様式に合わせて配列可能な多様性や、部屋のアクセントや装飾として雰囲気を変化させることが可能である意匠性を求める要望があり、また、畳を敷き詰めて和室を形成する場合でも、配色の異なる正方形の半畳タイプの畳を交互に敷いて市松模様のような和モダンの空間を演出する趣向を凝らしたものが新築住宅を始めとして、リノベーション、リフォームにおいても人気を集めている。
【０００４】
しかしながら、半畳タイプの正方形畳、特に、置き畳では、１畳サイズのものより軽く利便性が高いものの、同一寸法形状の正方形畳を例えば、４帖半、６帖、８帖等に対応した配列で敷設した場合、正方形畳の隅部の角が１箇所に４つ集まるのを避けることができず、この４つの隅部の角が集中する箇所に局部的に荷重が加わった場合、位置ずれが生じやすく、位置ずれによって隙間が生じることで、その隙間にゴミや埃が落ちて溜まったり、隙間によって躓きやすくなったりするという不具合がある。隙間に落ちたゴミや埃は掃除しづらく、特に、食品かす等のゴミや埃はダニのえさとなり、ゴミや埃が溜まったままだと、ダニの繁殖を招く恐れもある。
また、半畳タイプの正方形畳では、従来の和室規格の４帖半、６帖、８帖等の中間サイズ、例えば、１．５帖、５帖等を表現しようすると、全体形状がＬ字状となる意匠に限定され、意匠表現のバリエーションに限りがあった。
【０００５】
ここで、特許文献１においては、一畳サイズの半分である縦横比が１：１の半畳サイズの正方形畳と、この正方形畳の更に半分のサイズの四半帖畳とをもって互いに四隅が集中しないように配み合わせて配列させる和室の床仕上げ構造が開示されており、図面には、正方形畳と四半帖畳の組み合わせによって４帖半、６帖、８帖等に対応して互いに四隅が集中しないように配列した例が開示されている。
【０００６】
また、特許文献２においては、横方向に隣接する床材の角部を一致させ、且つ、縦方向に隣接する床材の角部をずらして敷設することで４つの角が集中しないようにする床材の敷設方法が開示されている。そして、実施例には、縦横比が１：１（正方形）の半畳サイズを更に半分にしたサイズの縦横比が２：１の長方形の床材、即ち、１畳サイズの１／４サイズの長方形の床材と、更にこの１／４サイズを半分にした縦横比が１：１の正方形の床材とを組み合わせて横方向に隣接する床材の角部を一致させ、且つ、縦方向に隣接する床材の角部をずらして敷設することで、全体形状を正方形に形成したものが開示されている。
【０００７】
更に、特許文献３では、短辺と長辺の比率が１対２をなす畳体の一方の長辺の一側からの１／４長点と他方の長辺の他側からの１／４長点間を４５度の角度をもって斜に切断して底辺と上辺の比率が３対１をなす台形状の２分割畳体を、短辺と長辺の比率が１対２をなす畳体と組み合わせることで、全体形状を三角形、平行四辺形、Ｖ字形等として床面に敷設できることが記載されている。
【０００８】
加えて、特許文献４では、軽量・小型化を図り、運搬性、作業性を向上させて敷設し易くするために、従来規格の畳を正方形、長方形、三角形、丸形等の幾何学的形状に分割したブロック畳を組みわせて敷設することが記載されている。
【先行技術文献】
【特許文献】
【０００９】
【特許文献１】特開平４−８０４５８号公報
【特許文献２】特開２００６−２７４７２７号公報
【特許文献３】特開昭５３−４９８３７号公報
【特許文献４】特開２００８−１６３６１９号公報
【発明の概要】
【発明が解決しようとする課題】
【００１０】
ところが、特許文献１及び特許文献２では、どちらも縦横比が１：１の正方形状のものと縦横比が２：１の長方形状のものとの組み合わせであり、正方形と長方形の組み合わせでは、形状が統一されないことで、全体のバランスが悪く見栄えや意匠性に劣る。一方、縦横比が２：１の長方形状のものに統一した場合では、隅部の角が１箇所に４つ集まるのを避けて４帖半、６帖、８帖に対応した配列はできない。
【００１１】
また、特許文献３においては、台形状とすることで、正方形状や長方形状の組み合わせでは表現できない全体形状が三角形状、五角形状とした表現が可能となるが、例えば、全体形状を三角形状としても鋭角部が存在することで躓きやすいものとなるから、それらの形状は必ずしも実用的なものでない。更に、部屋の隅に合わせて全体形状を三角状に形成する実益もあまりなく、実際の使用頻度は極めて低いものとなる。また、台形状に形成する場合、鋭角部があることで、その端部の処理が難しく処理に多大な手間を要することが予測される。
【００１２】
更に、特許文献４では、正方形、長方形、三角形、丸形等の幾何学的形状に分割したブロック畳を組みわせて敷設することが記載されているが、具体的には、１／４畳サイズの態様が図示されているだけで、それ以外のサイズの実用的な設計については何ら開示するものがなく、多様な意匠面を形成する発想も開示されていない。
【００１３】
そこで、本発明は、多様な外形及び内部モザイク模様を見栄え良く形成でき、敷設に使い勝手も良い床面構造体の提供を課題とするものである。
【課題を解決するための手段】
【００１４】
請求項１の床面構造体は、互いの１つの長辺を合わせることで正方形状を形成する所定寸法の長方形状の小ユニット畳と大ユニット畳の組み合わせからなり、前記小ユニット畳と前記大ユニット畳は、木質ボード、合成樹脂ボード、合成樹脂発泡体、コルクボード、炭化ボードのうちの何れか１種以上からなる芯材、前記芯材の上層に配設したクッション材、及び前記芯材の下層に配設した裏面材によって形成される畳床と、前記畳床を被覆する合成樹脂で形成またはコーティング加工した畳表と、前記畳表で被覆された前記畳床の裏面に取り付けられる防滑材とから構成されたものである。
【００１５】
ここで、上記小ユニット畳と大ユニット畳は、それぞれ所定寸法の長方形状のものであり、互いの１つの長辺を合わせて平行配列したときに正方形状を形成するものである。そして、この所定寸法の長方形状の小ユニット畳を１または２以上と所定寸法の長方形状の大ユニット畳を１または２以上の２種の前記小ユニット畳及び前記大ユニット畳の組み合わせによって床面構造体を形成する。
【００１６】
小ユニット畳と大ユニット畳を構成する畳床を形成する芯材の上記木質ボードとしては、インシュレーションボード（軟質繊維板、ＩＢ）、半硬質繊維板（中質繊維板、セミハードボード、ＭＤＦ）、硬質繊維板（ハードボード、ＨＢ）、パーティクルボード等が挙げられる。
また、上記合成樹脂ボードとしては、プラスチック段ボール等が挙げられる。
更に、上記合成樹脂発泡体としては、ポリスチレンフォーム、ポリエチレンフォーム、ポリプロピレンフォーム、ポリウレタンフォーム等が挙げられる。
【００１７】
加えて、上記コルクボードとしては、生状態のコルク板や、それを蒸し焼き等して炭化させた炭化コルク板等が挙げられる。
上記炭素ボードとしては、例えば、活性炭や木炭等の炭素粉と充填材との混合物をバインダで固めてボード状に成形したもの等が使用できる。
これらは複数を組み合わせて用いてもよく、その配列も特に限定されるものではない。
また、畳床を形成する上記クッション材には、不織布等が使用される。なお、不織布とは、繊維状体を機械的、化学的、熱的に処理し、接着剤や繊維自身の融着力で接合してなる布のことである。
更に、上記裏面材には、ポリプロピレン等の合成樹脂シート等が使用される。
【００１８】
また、小ユニット畳と大ユニット畳を構成する上記畳表は、例えば、ポリオレフィン樹脂等の合成樹脂を筒状（パイプ状）や柱状等に成形（紡糸）して得られた繊維状体（線状体）を編みあげたものや、和紙を筒状（パイプ状）や柱状等に成形（紡糸）して得られた繊維状体（線状体）を編みあげて合成樹脂でコーティング加工したもので形成される。
更に、小ユニット畳と大ユニット畳を構成する上記防滑材は、例えば、合成樹脂発泡体や、フェルト、ゴム等から形成される。この防滑材を取り付ける手段は特に問われず、例えば、両面接着テープ等による取り付けが可能である。
【００１９】
請求項２の床面構造体は、短辺と長辺の比が２：５である長方形状（矩形）の小ユニット畳と、短辺と長辺の比が３：５である長方形状（矩形）の大ユニット畳の組み合わせからなるものである。
【００２０】
ここで、上記短辺と長辺の比が２：５の小ユニット畳と短辺と長辺の比が３：５の大ユニット畳は、小ユニット畳及び大ユニット畳の互いの１つの長辺を合わせて平行配列したときに正方形状を形成するものである。これは、縦横比が１：１の正方形畳の対向する１対の辺において２：３のサイズ比で分割したものであり、このとき、±２０ｍｍの設計変更は許容される。
【００２１】
例えば、近年の新築家屋、特に団地、アパート、マンション、公団住宅等の共同住宅や高層住宅に多く採用されている団地間（公団、五六間）サイズ（８５０ｍｍ×１７００ｍｍ）の半畳サイズ（８５０ｍｍ×８５０ｍｍ）の畳規格に対応させて、この正方形状の半畳の対向する１対の辺において２：３のサイズ比で分割した、短辺が３１０ｍｍ±２０ｍｍ、長辺が８５０ｍｍの小ユニット畳と、短辺が５４０ｍｍ±２０ｍｍ、長辺が８５０ｍｍの大ユニット畳との組み合わせからなる。
【００２２】
また、団地間サイズ以外にも畳のサイズには、江戸間、京間等の種々の規格が存在するため、使用される地域等に応じて何れかの規格に対応させたものとすることができる。
例えば、江戸間（関東間、五八間）サイズ（８８０ｍｍ×１７６０ｍｍ）の半畳サイズ（８８０ｍｍ×８８０ｍｍ）の畳規格に対応させた場合、短辺が３５０ｍｍ±２０ｍｍ、長辺が８８０ｍｍの小ユニット畳と、短辺が５３０ｍｍ±２０ｍｍ、長辺が８８０ｍｍの大ユニット畳との組み合わせとすることができる。
京間（本間、本間間）サイズ（９５５ｍｍ×１９１０ｍｍ）の半畳サイズ（９５５ｍｍ×９５５ｍｍ）の畳規格に対応させた場では、短辺が３８０ｍｍ±２０ｍｍ、長辺が９５５ｍｍの小ユニット畳と、短辺が５７０ｍｍ±２０ｍｍ、長辺が９５５ｍｍの大ユニット畳との組み合わせとすることができる。
【００２３】
中京間（三六間）サイズ（９１０ｍｍ×１８２０ｍｍ）の半畳サイズ（９１０ｍｍ×９１０ｍｍ）の畳規格に対応させた場合、短辺が３６０ｍｍ±２０ｍｍ、長辺が９１０ｍｍの小ユニット畳と、短辺が５５０ｍｍ±２０ｍｍ、長辺が９１０ｍｍの大ユニット畳との組み合わせとすることができる。
六二間サイズ（９４０ｍｍ×１８８０ｍｍ）の半畳サイズ（９４０ｍｍ×９４０ｍｍ）の畳規格に対応させた場合、短辺が３８０ｍｍ±２０ｍｍ、長辺が９４０ｍｍの小ユニット畳と、短辺が５６０ｍｍ±２０ｍｍ、長辺が９４０ｍｍの大ユニット畳との組み合わせとすることができる。
六一間サイズ（９２５ｍｍ×１８５０ｍｍ）の半畳サイズ（９２５ｍｍ×９２５ｍｍ）の畳規格に対応させた場合、短辺が３７００ｍｍ±２０ｍｍ、長辺が９２５ｍｍの小ユニット畳と、短辺が５５５ｍｍ±２０ｍｍ、長辺が９２５ｍｍの大ユニット畳との組み合わせとすることができる。
【００２４】
更に、これら従来の畳規格への対応に限らず、小ユニット畳が短辺と長辺の比が２：５で、大ユニット畳が短辺と長辺の比が３：５であれば、その他のサイズを採用することも可能である。例えば、団地間サイズの半畳サイズ（８５０ｍｍ×８５０ｍｍ）の畳規格よりも小さくして、８００ｍｍ×８００ｍｍサイズの正方形畳を、対向する１対の辺において２：３のサイズ比で分割し、短辺が３２０ｍｍ±２０ｍｍ、長辺が８００ｍｍの小ユニット畳と、短辺が４８０ｍｍ±２０ｍｍ、長辺が９２５ｍｍの大ユニット畳との組み合わせとしてもよい。
なお、短辺及び長辺の長さは、厳格であることを要求するものではなく、±５ｍｍの範囲内の寸法精度の誤差は許容されるものである。
【００２５】
請求項３の床面構造体は、所定規格の正方形状の半畳の対向する１対の辺において２：３のサイズ比で分割して、前記正方形状の半畳の２／５サイズで短辺と長辺の比を２：５とした小ユニット畳と、前記正方形状の半畳の３／５サイズで短辺と長辺の比を３：５とした大ユニット畳の組み合わせからなる。
【００２６】
ここで、上記短辺と長辺の比が２：５の小ユニット畳と短辺と長辺の比が３：５の大ユニット畳は、縦横比が１：１の所定規格の正方形状の半畳の対向する１対の辺において２：３のサイズ比で分割したものであり、このとき、±２０ｍｍの設計変更は許容される。
【００２７】
上記所定規格の正方形状の半畳とは、従来からの畳の一畳の半分に相当するサイズであり、畳のサイズには、団地間サイズ江戸間、京間、等の種々の規格が存在するが、使用される地域等に応じ、何れの規格が採用されるものであってもよい。
例えば、近年の新築家屋、特に団地、アパート、マンション、公団住宅等の共同住宅や高層住宅に多く採用されている団地間（公団、五六間）サイズ（８５０ｍｍ×１７００ｍｍ）の半畳サイズ（８５０ｍｍ×８５０ｍｍ）の畳規格に対応させたとき、この正方形状の半畳の対向する１対の辺において２：３のサイズ比で分割した、短辺；３１０ｍｍ±２０ｍｍ×長辺；８５０ｍｍサイズの小ユニット畳と、短辺；３１０ｍｍ±２０ｍｍ×長辺が８５０ｍｍ±５ｍｍサイズの大ユニット畳との組み合わせからなる。
【００２８】
また、江戸間（関東間、五八間）サイズ（８８０ｍｍ×１７６０ｍｍ）の半畳サイズ（８８０ｍｍ×８８０ｍｍ）の畳規格に対応させた場合では、短辺；３５０ｍｍ±２０ｍｍ×長辺８８０ｍｍサイズの小ユニット畳と、短辺；５３０ｍｍ±２０ｍｍ×長辺；８８０ｍｍサイズの大ユニット畳との組み合わせとすることができる。
京間（本間、本間間）サイズ（９５５ｍｍ×１９１０ｍｍ）の半畳サイズ（９５５ｍｍ×９５５ｍｍ）の畳規格に対応させた場合では、短辺；３８０ｍｍ±２０ｍｍ×長辺；９５５ｍｍの小ユニット畳と、短辺；５７０ｍｍ±２０ｍｍ×長辺；９５５ｍｍの大ユニット畳との組み合わせとすることができる。
【００２９】
中京間（三六間）サイズ（９１０ｍｍ×１８２０ｍｍ）の半畳サイズ（９１０ｍｍ×９１０ｍｍ）の畳規格に対応させた場合では、短辺；３６０ｍｍ±２０ｍｍ×長辺；９１０ｍｍの小ユニット畳と、短辺；５５０ｍｍ±２０ｍｍ×長辺；９１０ｍｍの大ユニット畳との組み合わせとすることができる。
六二間サイズ（９４０ｍｍ×１８８０ｍｍ）の半畳サイズ（９４０ｍｍ×９４０ｍｍ）の畳規格に対応させた場合では、短辺；３８０ｍｍ±２０ｍｍ、長辺；９４０ｍｍの小ユニット畳と、短辺；５６０ｍｍ±２０ｍｍ、長辺；９４０ｍｍの大ユニット畳との組み合わせとすることができる。
【００３０】
六一間サイズ（９２５ｍｍ×１８５０ｍｍ）の半畳サイズ（９２５ｍｍ×９２５ｍｍ）の畳規格に対応させた場合では、短辺；３７００ｍｍ±２０ｍｍ×長辺；９２５ｍｍの小ユニット畳と、短辺；５５５ｍｍ±２０ｍｍ×長辺；９２５ｍｍの大ユニット畳との組み合わせとすることができる。
なお、短辺及び長辺の長さは、厳格であることを要求するものではなく、±５ｍｍの範囲内の寸法精度の誤差は許容されるものである。
【００３１】
請求項４の床面構造体は、短辺と長辺の比が２：５である３４０±２０ｍｍ×８５０ｍｍのサイズの小ユニット畳と、短辺と長辺の比が３：５である５１０±２０ｍｍ×８５０ｍｍのサイズの大ユニット畳の組み合わせからなるものである。
【００３２】
ここで、３４０±２０ｍｍ×８５０ｍｍの長方形状の小ユニット畳と、５１０±２０ｍｍ×８５０ｍｍの長方形状の大ユニット畳は、近年のハウスメーカ等の建築による新築家屋、特に団地、アパート、マンション、公団住宅等の共同住宅や高層住宅に多く採用されて、工業的な量産可能性の高い団地間（公団、五六間）サイズ（８５０ｍｍ×１７００ｍｍ）の半畳サイズ（８５０ｍｍ×８５０ｍｍ）の正方形畳の対向する１対の辺において、２：３のサイズ比で分割したものであり、このとき、±２０ｍｍの設計変更は許容したものである。
なお、短辺及び長辺の長さは、厳格であることを要求するものではなく、±５ｍｍの範囲内の寸法精度の誤差は許容されるものである。
【００３３】
請求項５の床面構造体は、前記小ユニット畳と前記大ユニット畳の厚みが共に１０〜２０ｍｍの範囲内であり、前記小ユニット畳と前記大ユニット畳をフローリング床に敷設した際のバリアフリー化に対応したものである。更に、１０〜１８ｍｍの範囲内であると、マンション、アパート等に床面から２０ｍｍ以上離間して設置されているクローゼットの開閉扉等の開閉操作が行われる床面上でも敷設可能となる。
【００３４】
請求項６の床面構造体は、前記小ユニット畳と前記大ユニット畳を構成する前記畳床の前記芯材の厚みを８ｍｍ〜１０ｍｍの範囲内とし、前記クッション材の厚みを０．１〜０．３ｍｍの範囲内とし、前記裏面材の厚みを０．２〜０．４ｍｍの範囲内とし、前記畳表の厚みを２．５〜３ｍｍの範囲内とし、前記防滑材の厚みを２〜４ｍｍの範囲内としたものである。
なお、上記厚みの数値は、厳格であることを要求するものではなく、±０．５ｍｍの範囲内の寸法精度誤差は許容されるものである。
また、上記床面構造体を構成する小ユニット畳及び大ユニット畳の数は、必ずしも同一数が同時に使用されるものではなく、その数の組み合わせは特に限定されるものではない。
【発明の効果】
【００３５】
請求項１の発明の床面構造体によれば、互いの１つの長辺を合わせることで正方形状を形成する所定寸法の長方形状の小ユニット畳と大ユニット畳の組み合わせからなり、前記小ユニット畳と前記大ユニット畳は、木質ボード、合成樹脂ボード、合成樹脂発泡体、コルクボード、炭化ボードのうちの何れか１種以上を芯材とし、更に前記芯材の上層にクッション材を配設し、また前記芯材の下層に裏面材を配設し積層した畳床に対して、合成樹脂で形成またはコーティング加工した畳表を被覆し、かつ、それらの裏面に防滑材を取り付けてなる。
【００３６】
木質ボード、合成樹脂ボード、合成樹脂発泡体、コルクボード、炭化ボードのうちの何れか１種以上からなる芯材、前記芯材の上層に配設したクッション材、及び前記芯材の下層に配設した裏面材によって畳床を形成することによって、予め成形されたボード等を順次重ねるだけで畳床を形成できるので製造作業の簡易化が可能であり、また、非常に軽量で取扱い易く、畳製造における既存の設備を用いて所定寸法の長方形状とする切断加工が容易である。そして、このように所定寸法に切断した畳床に対して、合成樹脂で形成またはコーティング加工した畳表を被覆し、かつ、それらの裏面に防滑材を取り付けることで形成される小ユニット畳と大ユニット畳は、軽量でありながらも高い強度を確保でき耐久性も良く、低コストで、寸法精度が高く一定の品質のものとなる。更に、防湿性が高く、カビやダニの繁殖を防止できる。
【００３７】
特に、畳床の芯材が木質ボードとしてのインシュレーションボードによって形成された場合、木材の特性である抗菌性、調湿性、脱臭性、断熱性、防音・吸音性等が発揮され、多湿環境下での使用においてもダニやカビ等の繁殖が抑制されるうえ、腐食し難く安定した品質が維持される。
また、芯材としてインシュレーションボードに加え、合成樹脂ボードとしてのプラスチック段ボールを使用した場合、軽量でありながらも高い強度を確保でき耐久性も良く、更に、緩衝性が向上し、熱や湿度による伸縮や反り変形も抑えることができる。
加えて、畳床の上層に配設したクッション材によりクッション性が高いものとなり、防音・遮音効果も期待でき、また、寸法のばらつきを吸収できる。
更に、畳床の下層に配設した裏面材により裏面が強化され、また、反り変形が一層防止される。
【００３８】
また、小ユニット畳と大ユニット畳の裏面に防滑材が取り付けられていることで、フローリング床等に敷設した場合でも位置ずれが防止される。よって、位置ずれにより生じる隙間にゴミや埃等が溜まってダニが繁殖しやくなる事態を防止して衛生的に保つことができ、また、位置ずれを直す手間も少なく、ずれによる転倒の危険性も小さく、敷設の使い勝手が向上する。
【００３９】
そして、このような構成の所定寸法の長方形状とした小ユニット畳及び大ユニット畳の組み合わせによって、長手方向及び短手方向を同一にして並行に隣接して配列した小ユニット畳と大ユニット畳から任意に選択される２枚の小ユニット畳及び／または大ユニット畳に対し、別途小ユニット畳と大ユニット畳から任意に選択される１枚の小ユニット畳または大ユニット畳を、並行に配列させた２枚の小ユニット畳及び／または大ユニット畳に対して長手方向と短手方向を逆にして直角に隣接させ、隣接させた３枚の小ユニット畳及や大ユニット畳の隣接辺同士でＴ字状を形成するように配列することで、即ち、同一の方向性で並列させた２枚の小ユニット畳及び／または大ユニット畳の長手方向に対し、別の１枚の小ユニット畳または大ユニット畳の短手方向が同一方向になるよう配列（換言すると、同一の方向性で並列させた２枚の小ユニット畳及び／または大ユニット畳の短手方向に対し、別の１枚の小ユニット畳または大ユニット畳の長手方向が同一方向になるよう配列）する組み方で、小ユニット畳や大ユニット畳の角部の４つが１箇所に収集されることなく、全体を正方形状とする２帖、４帖半、８帖等に対応した敷設が可能となる。更に、全体を長方形状とする６帖等でも同様に可能である。
【００４０】
したがって、リビング等のフローリング床等に置き畳として敷設した際でも、畳の角部の４つが１箇所に集中することで生じやすくなる位置ずれを防止でき、隣接する小ユニット畳や大ユニット畳の相互と間に隙間を生じさせにくい配列となって、隙間にゴミや埃等が溜まってダニが繁殖しやくなる事態を防止して衛生的に保つことができ、また、位置ずれを直す手間も少なく、ずれによる転倒の危険性も小さく、敷設の使い勝手が良いものとなる。
【００４１】
そして、請求項１の発明の床面構造体によれば、小ユニット畳及び大ユニット畳は長方形状であって長手方向や短手方向といった方向性が付与されていることで、方向性を同一としたり方向性を変えたりする配列及び組み合わせによって、規則的、不規則的（ランダム）、対称的といった意匠の演出が可能であり、模様、色、素材等が異なる小ユニット畳や大ユニット畳を組み合わせた場合には、更に意匠表現のバリエーションが増大し、多様な外形及び内部モザイク模様を表現できる。
また、非常に軽量で持ち運びや敷設作業等の取扱いが容易であることから、リビング等のフローリング床等に敷設した際でも、敷設する枚数や配列を変えたり交換したりするのが手軽に行え、意匠面を変化させることも容易である。
【００４２】
このとき、小ユニット畳及び大ユニット畳が長方形状であることで全体的に統一感があり視覚的なバランスに優れ多様な外形及び内部モザイク模様を見栄え良く形成できる。勿論、大ユニット畳及び小ユニット畳の互いの１長辺を合わせることで正方形状を形成することから、正方形状の意匠面を表象することも可能である。
よって、使用者の生活様式、好み、個性、部屋の用途、間取り・構造、敷設場所等に応じることができ、使い勝手に優れる。
【００４３】
請求項２の発明の床面構造体によれば、短辺と長辺の比が２：５である長方形状の小ユニット畳を１または２以上と、短辺と長辺の比が３：５である長方形状の大ユニット畳を１または２以上との２種の前記小ユニット畳及び前記大ユニット畳との組み合わせからなるものである。
【００４４】
この請求項２の発明の床面構造体によれば、互いの１つの長辺を合わせることで正方形状を形成する短辺と長辺の比が２：５である長方形状の小ユニット畳と、短辺と長辺の比が３：５である長方形状の大ユニット畳の組み合わせによって、１．５帖、２帖、２．５帖、３帖、３．５帖、４帖、４．５帖、５帖、５．５帖、６帖、６．５帖、７帖、７．５帖、８帖等の間の中間サイズを表現することができ、表現可能なサイズのバリエーションが増え、より使用者のニーズ等に合わせた対応が可能となる。加えて、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さくて全体形状が正方形に近く視覚的にバランスの良い外形表現が可能となる。勿論、このときも、隣接させる３枚の小ユニット畳や大ユニット畳を隣接辺同士でＴ字状または逆Ｔ字状を形成するように配列することで、小ユニット畳や大ユニット畳の角部の４つを一か所に収集させることのない配列が可能である。
【００４５】
ここで、上記２：５及び３：５との数値は、本発明者らの鋭意実験研究の結果、短辺と長辺の比を２：５とした長方形状の小ユニット畳と短辺と長辺の比を３：５とした長方形状の大ユニット畳との組み合わせによって床面構造体を形成することで、全体的な統一感があり視覚的にバランスが良くて見栄えや意匠性に優れ、かつ、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さく全体形状が正方形に近く視覚的にバランスの良い外形表現も可能となり、更に、畳製造における既存の設備を用いて高い寸法精度の一定の品質で切断加工が可能であり、加えて、敷設したときのずれや反り変形も生じ難くて使い勝手がよく、製造コストも低く抑えることができることを見出し、この知見に基づいて設定したものである。
【００４６】
請求項３の発明の床面構造体によれば、所定規格の正方形状の半畳の対向する１対の辺において２：３のサイズ比で分割して、前記正方形状の半畳の２／５サイズで短辺と長辺の比を２：５とした長方形状の小ユニット畳を１または２以上と、前記正方形状の半畳の３／５サイズで短辺と長辺の比を３：５とした長方形状の大ユニット畳を１または２以上との２種の小ユニット畳及び大ユニット畳の組み合わせからなる。
【００４７】
この請求項３の発明の床面構造体によれば、所定規格の正方形状の半畳の対向する１対の辺において２：３のサイズ比で分割して、前記正方形状の半畳の２／５サイズで短辺と長辺の比を２：５とした長方形状の小ユニット畳と前記正方形状の半畳の３／５サイズで短辺と長辺の比を３：５とした長方形状の大ユニット畳の組み合わせによって、１．５帖、２帖、２．５帖、３帖、３．５帖、４帖、４．５帖、５帖、５．５帖、６帖、６．５帖、７帖、７．５帖、８帖等の間の中間サイズを表現することができ、表現可能なサイズのバリエーションが増え、より使用者のニーズ等に合わせた対応が可能となる。加えて、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さくて全体形状が正方形に近く視覚的にバランスの良い外形表現が可能となる。勿論、このときも、隣接させる３枚の小ユニット畳や大ユニット畳を隣接辺同士でＴ字状または逆Ｔ字状を形成するように配列することで、小ユニット畳や大ユニット畳の角部の４つを一か所に収集させることのない配列が可能である。
【００４８】
ここで、所定規格の正方形状の半畳の対向する１対の辺において２：３のサイズ比で分割して、小ユニット畳の短辺と長辺の比を２：５及び大ユニット畳の短辺と長辺の比を３：５としたとは、本発明者らの鋭意実験研究の結果、定規格の正方形状の半畳の対向する１対の辺において２：３のサイズ比で分割して、短辺と長辺の比を２：５とした長方形状の小ユニット畳と短辺と長辺の比を３：５とした長方形状の大ユニット畳との組み合わせによって床面構造体を形成することで、全体的な統一感があり視覚的にバランスが良くて見栄えや意匠性に優れ、かつ、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、等に対応させる場合でも、全体形状をＬ字状とする配列や全体の縦横比の差が大きく全体形状を細長の長方形状とする配列に限定されず、全体の縦横比の差が小さく全体形状が正方形に近く視覚的にバランスの良い外形表現も可能となり、更に、畳製造における既存の設備を用いて高い寸法精度の一定の品質で切断加工が可能であり、加えて、敷設したときのずれや反り変形も生じ難くて使い勝手がよく、製造コストも低く抑えることができることを見出し、この知見に基づいて発明したものである。
【００４９】
また、所定規格の正方形状の半畳の２／５サイズである小ユニット畳と前記正方形畳の３／５サイズである長方形状の大ユニット畳の組み合わせとし、小ユニット畳及び大ユニット畳が従来の半畳より小型かつ軽量であることで、持ち運びや敷設作業等の取扱いが容易となり、配列変えや交換も手軽に行うことができ、更に、載置面積が小さい省スペースでも収納可能となる。
【００５０】
請求項４の発明の床面構造体によれば、短辺と長辺の比が２：５である３４０±２０ｍｍ×８５０ｍｍの長方形状の小ユニット畳を１または２以上と、短辺と長辺の比が３：５である５１０±２０ｍｍ×８５０ｍｍの長方形状の大ユニット畳を１または２以上との２種の組み合わせからなる。
【００５１】
この請求項４の発明の床面構造体によれば、３４０±２０ｍｍ×８５０ｍｍの長方形状の小ユニット畳と５１０±２０ｍｍ×８５０ｍｍの長方形状の大ユニット畳の組み合わせによって、１．５帖、２帖、２．５帖、３帖、３．５帖、４帖、４．５帖、５帖、５．５帖、６帖、６．５帖、７帖、７．５帖、８帖等の間の中間サイズを表現することができ、表現可能なサイズのバリエーションが増え、より使用者のニーズ等に合わせた対応が可能となる。加えて、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さくて全体形状が正方形に近く視覚的にバランスの良い外形表現が可能となる。勿論、このときも、隣接させる３枚の小ユニット畳や大ユニット畳を隣接辺同士でＴ字状または逆Ｔ字状を形成するように配列することで、小ユニット畳や大ユニット畳の角部の４つを一か所に収集させることのない配列が可能である。
【００５２】
ここで、３４０±２０ｍｍ×８５０ｍｍサイズと５１０±２０ｍｍ×８５０ｍｍサイズの数値は、本発明者らの鋭意実験研究の結果、近年のハウスメーカ等による建築の新築家屋、特に団地、アパート、マンション、公団住宅等の共同住宅や高層住宅に多く採用されて、工業的な量産可能性の高い団地間（公団、五六間）サイズ（８５０ｍｍ×１７００ｍｍ）の半分サイズの正方形状の半畳（８５０ｍｍ×８５０ｍｍ）の対向する１対の辺において、２：３のサイズ比で分割し、このとき±２０ｍｍの範囲内の設計変更は許容され、３４０±２０ｍｍ×８５０ｍｍの長方形状の小ユニット畳と５１０±２０ｍｍ×８５０ｍｍの長方形状の大ユニット畳の組み合わせによって床面構造体を形成することで、全体的な統一感があり視覚的にバランスが良くて見栄えや意匠性に優れ、かつ、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さく全体形状が正方形に近く視覚的にバランスの良い外形表現も可能となり、更に、畳製造における既存の設備を用いて高い寸法精度の一定の品質で切断加工が可能であり、加えて、敷設したときのずれや反り変形も生じ難くて使い勝手がよく、製造コストも低く抑えることができることを見出し、この知見に基づいて設定したものである。
【００５３】
また、従来の団地間の半畳サイズである正方形状の半畳（８５０ｍｍ×８５０ｍｍ）の約２／５サイズの３４０±２０ｍｍ×８５０ｍｍの長方形状の小ユニット畳と約３／５サイズの５１０±２０ｍｍ×８５０ｍｍの長方形状の大ユニット畳の組み合わせとし、小ユニット畳及び大ユニット畳が従来の半畳より小型かつ軽量であることで、持ち運びや敷設作業等の取扱いが容易となり、配列変えや交換も手軽に行うことができ、更に、載置面積が小さい省スペースでも収納可能となる。
【００５４】
請求項５の床面構造体によれば、前記小ユニット畳と前記大ユニット畳の厚みが共に１０〜２０ｍｍの範囲内であるから、請求項１乃至請求項４の何れか１つに記載の効果に加えて、前記小ユニット畳と前記大ユニット畳をリビング等のフローリング床に敷設した際でもフローリング床等との段差が少なくなり、躓き等による転倒を効果的に防止できる。また、床暖房が設置された床面の上に敷設した場合でも、床暖房からの熱の伝導性が高いものとなる。更に、１０〜１８ｍｍの範囲内であると、マンション、アパート等に床面から２０ｍｍ以上離間して設置されているクローゼットの開閉扉等の開閉操作が行われる床面上でも敷設可能となり、設置自由度が高まる。
【００５５】
請求項６の床面構造体によれば、前記小ユニット畳と前記大ユニット畳を構成する前記畳床の前記芯材の厚みを８ｍｍ〜１０ｍｍの範囲内とし、前記クッション材の厚みを０．１〜０．３ｍｍの範囲内とし、前記裏面材の厚みを０．２〜０．４ｍｍの範囲内とし、前記畳表の厚みを２．５〜３ｍｍの範囲内とし、前記防滑材の厚みを２〜４ｍｍの範囲内としたことから、請求項１乃至請求項４の何れか１つに記載の効果に加えて、厚みが薄くても適度な硬さと柔らかさを兼ね備え、座ったり寝転んだりしたときに寛ぎやすく快適なものとなる。
【図面の簡単な説明】
【００５６】
【図１】図１は本発明の実施の形態に係る床面構造体を構成する小ユニット畳と大ユニット畳を示す模式図である。
【図２】図２は本発明の実施の形態に係る床面構造体を構成する小ユニット畳及び大ユニット畳の一部を切断して模式的に示す要部断面図である。
【図３】図３は本発明の実施の形態に係る床面構造体において、小ユニット畳と大ユニット畳を組み合わせて１．５帖またはそれに相当するサイズとした配列の一例を示す模式図であり、図３（ａ）は小ユニット畳２枚と大ユニット畳４枚の組み合わせによって全体を四角形状としたものであり、図３（ｂ）は、小ユニット畳４枚と大ユニット畳２枚の組み合わせによって全体を四角形状としたものであり、図３（ｃ）は小ユニット畳３枚と大ユニット畳３枚の組み合わせによって全体をＬ字形状としたものであり、図３（ｄ）は小ユニット畳３枚と大ユニット畳３枚を全て並行に配列したものである。
【図４】図４は本発明の実施の形態に係る床面構造体で、図４（ａ）は小ユニット畳と大ユニット畳を組み合わせて２帖サイズとした配列の一例を示す模式図であり、図４（ｂ）は小ユニット畳と大ユニット畳を組み合わせて２．５帖相当のサイズとした配列の一例を示す模式図であり、図４（ｃ）は小ユニット畳と大ユニット畳を組み合わせて３帖サイズとした配列の一例を示す模式図であり、図４（ｄ）は小ユニット畳と大ユニット畳を組み合わせて３．５帖相当のサイズとした配列の一例を示す模式図である。
【図５】図５は本発明の実施の形態に係る床面構造体で、図５（ａ）は小ユニット畳と大ユニット畳を組み合わせて４帖サイズとした配列の一例を示す模式図であり、図５（ｂ）は小ユニット畳と大ユニット畳を組み合わせて４．５帖サイズとした配列の一例を示す模式図であり、図５（ｃ）は小ユニット畳と大ユニット畳を組み合わせて５帖サイズとした配列の一例を示す模式図であり、図５（ｄ）は小ユニット畳と大ユニット畳を組み合わせて５．５帖相当のサイズとした配列の一例を示す模式図である。
【図６】図６は本発明の実施の形態に係る床面構造体で、図６（ａ）は小ユニット畳と大ユニット畳を組み合わせて６帖サイズとした配列の一例を示す模式図であり、図６（ｂ）は小ユニット畳と大ユニット畳を組み合わせて６．５帖相当のサイズとした配列の一例を示す模式図であり、図６（ｃ）は小ユニット畳と大ユニット畳を組み合わせて７帖サイズとした配列の一例を示す模式図であり、図６（ｄ）は小ユニット畳と大ユニット畳を組み合わせて７．５帖相当のサイズとした配列の一例を示す模式図である
【図７】図７は本発明の実施の形態に係る床面構造体で、図７（ａ）は小ユニット畳と大ユニット畳を組み合わせて８帖サイズとした配列の一例を示す模式図であり、図７（ｂ）は小ユニット畳と大ユニット畳を組み合わせて８．５帖相当のサイズとした配列の一例を示す模式図である。
【図８】図８は本発明の実施の形態に係る床面構造体の使用形態の一例を説明するための要部斜視図である。
【発明を実施するための形態】
【００５７】
以下、本発明の実施の形態について、図面を参照しながら説明する。
本実施の形態の床面構造体１は、図１に示す短辺と長辺の比を２：５とした長方形状の小ユニット畳Ｓを１または２以上と、短辺と長辺の比を３：５とした長方形状の大ユニット畳Ｍを１または２以上との２種の小ユニット畳Ｓ及び大ユニット畳Ｍの組み合わせからなる。この小ユニット畳Ｓと大ユニット畳Ｍは、縦横比が１：１の所定規格の半畳サイズの正方形畳の対向する一対の辺において２：３のサイズ比で分割したものであり、互いの１つの長辺を合わせることで正方形状を形成するものである。
【００５８】
ここで、本実施の形態の床面構造体１を構成する小ユニット畳Ｓと大ユニット畳Ｍの構造について図２を参照して説明する。
本実施の形態の小ユニット畳Ｓと大ユニット畳Ｍは共に、一般的な畳と同様に、畳床１０とそれを覆う畳表２０とから構成される。
畳床１０は、小ユニット畳Ｓと大ユニット畳Ｍの本体を形成するもので、例えば、木質ボード、合成樹脂発泡体、合成樹脂ボード、ゴムボード、い草等を芯材として、所定の厚みを有し、適度な剛性及び柔らかさを有するマット状に形成される。
【００５９】
畳床１０の芯材としては、例えば、インシュレーションボード等の木質ボード、ポリスチレンフォーム（発泡スチロール）等の合成樹脂発泡体（発泡体樹脂フォーム）、プラスチック段ボール等の合成樹脂ボード、ゴムボード、コルク（炭化コルク）ボード、炭素ボード等のうちの何れか１種または２種以上を組み合わせた層構造の建材床（化学床、合成床）や、従来から畳床として使用されていた藁材を圧縮して形成した藁床や、藁材で合成樹脂発泡体、木質ボード、コルク、炭素ボード等を挟んだ藁サンド床等をすることが可能である。
【００６０】
畳床１０の芯材として、木質ボード、合成樹脂発泡体、合成樹脂ボード、ゴムボード、コルクボード、炭素ボード等の建材（化学）床を使用した場合には、防虫（防ダニ）・防カビ性が高く、また、厚みが一定になりやすくて寸法精度が高く、安価で軽量な小ユニット畳Ｓ及び大ユニット畳Ｍとなる。藁材を使用した場合には、藁の吸放湿性による調湿作用や浄化作用が得られ、また、弾力性・衝撃吸収性、耐久性、断熱・保温性、遮音・吸音性が高く、柔らかくて感触も良く、リサイクル可能な小ユニット畳Ｓ及び大ユニット畳Ｍとなる。
【００６１】
なお、木質ボードとしては、インシュレーションボード（軟質繊維板、ＩＢ）、半硬質繊維板（中質繊維板、セミハードボード、ＭＤＦ）、硬質繊維板（ハードボード、ＨＢ）等の木質繊維板や、パーティクルボードや、ベニヤ板等が挙げられる。木質ボードを使用した場合には、木材の特性が得られ、特に、インシュレーションボードは、耐久性及び調湿性が高くリサイクル可能であり、周囲環境条件の変化（温度差、湿度差）による反りや伸縮等の寸法形状変化が少ないことから、畳床１０の芯材として好適である。
合成樹脂発泡体としては、ポリスチレンフォーム、ポリエチレンフォーム、ポリプロピレンフォーム、ポリウレタンフォーム等が挙げられる。合成樹脂発泡体は、断熱効果があり、無機質であるため湿気が内部に籠り難く、ダニやカビが繁殖し難い。特に、ポリスチレンフォームは、適度な剛性と共に、断熱性、及び緩衝性が高く、非常に軽量であり、また水分を透過させないため畳床１０の芯材として好適である。
合成樹脂ボードとしては、プラスチック段ボール、プラスチック板、発泡プラスチック板等が挙げられ、合成樹脂ボードを使用した場合には、軽量でありながらも高い強度が得られる。
【００６２】
コルクボードとしては、生状態のコルク板や、それを蒸し焼き等して炭化させた炭化コルク板等が挙げられる。吸湿性や吸着性を有するコルクボードの使用により除湿効果や脱臭効果を得て、カビやダニ等の繁殖を抑制したり、不快な臭いを浄化させたりすることができる。また、コルクボードは適度の弾力性を有することで、畳床１０のクッション性を高いものとすることができる。
炭素ボードとしては、例えば、活性炭や木炭等の炭素粉と充填材との混合物をバインダで固めてボード状に成形したもの等が使用できる。調湿性や吸着性を有する炭素ボードの使用により、除湿効果や脱臭効果を得て、カビ等の繁殖を抑制したり、不快な臭いを浄化させたりすることができる。また、炭素ボードは断熱性や保温性が良いことから、室内の温度を安定に保つことができ、冷暖房機の運転エネルギを節減することができる。
【００６３】
更に、芯材の他に畳床１０を構成する構成部材として、木質繊維板等の毛羽立ちやその飛散を防止等するための保護材（例えば、不織布、紙、段ボール等）、耐圧性や強度を強化するための補強材（例えば、不織布、紙、段ボール、パーティクルボード等）、クッション性を向上させるためのクッション材（例えば、不織布等）、畳床１０の裏面を強化するための裏面材（例えば、ビニルシート等）等を適宜組み合わせて使用できる。また、畳床１０の構成部材としてアルミ板等の金属板やガラスマット状シート等を用いることも可能である。特に、小ユニット畳Ｓと大ユニット畳Ｍを厚さ３０ｍｍ以下の所謂、薄畳とする場合に、芯材をアルミ板等の金属板やガラスマット状シートで挟むことで、床暖房を設置した床面上に敷設した場合でも反り等の変形が少なく熱伝導率が高い小ユニット畳Ｓと大ユニット畳Ｍが得られる。
【００６４】
また、畳床１０を構成する芯材や構成部材に活性炭やゼオライト等の多孔質材を混在させて、或いは、畳床１０に活性炭やゼオライト等の多孔質材を用いて形成したシートを介在させて、活性炭やゼオライト等による脱臭性、調湿性を備えた小ユニット畳Ｓ及び大ユニット畳Ｍとすることもできる。
更に、畳床１０に緑茶等から抽出したカテキン類（主にタンニン）を不織布等に噴霧し乾燥させたシート状のカテキンシートを介在させて、カテキン類による抗菌性や脱臭性を備えた小ユニット畳Ｓ及び大ユニット畳Ｍとすることもできる。また、アリルイソチオシアネート、ベンジルイソチオシアネート、シトラール、シトロネロール、ヒノキチオール、ペリラアルデヒド、α−リモネン等の抗菌剤や防腐剤を添加することでも、ダニやカビ等の繁殖抑制効果が得られる。
【００６５】
加えて、畳床１０を構成する芯材や構成部材に遠赤外線放射体、例えば、遠赤外線セラミック（アルミナ、シリカ、酸化ナトリウム、酸化カリウム、酸化鉄、酸化チタン、酸化フッ素等）、トルマリン鉱石、石英鉱石、黒雲母、炭素系物質（木炭、活性炭、備長炭）を混在させて、或いは、畳床１０に遠赤外線放射体を用いて形成した遠赤外線放射シートを介在させて、遠赤外線効果を有する小ユニット畳Ｓ及び大ユニット畳Ｍとすることもできる。遠赤外線放射体を用いて形成された小ユニット畳Ｓ及び大ユニット畳Ｍによれば、例えば、暖房器具を設置しようにも設置場所や使用頻度が限られ即暖性が重視される台所等において、その床に敷設するだけで、遠赤外線による加熱・保温効果を得ることができ好適に使用できる。また、床暖房を設置した床面上に敷設した場合には、より加熱効果を高めることができる。
その他にも、例えば、不織布等に水等の液体に溶かした硼酸を噴霧等によって染み込ませた硼酸シートを介在させることで、ダニ、ゴキブリ、白アリ等の発生や繁殖を抑制し、抗菌効果を有する小ユニット畳Ｓ及び大ユニット畳Ｍとすることもできる。
【００６６】
また、畳床１０を覆う畳表２０としては、例えば、従来の伝統的ない草を麻糸や綿糸で織り込んだ織物や、木質繊維からなる紙や竹から筒状の抄繊糸を成形し、この抄繊糸を織り上げたものや、抄繊糸で織り上げて合成樹脂でコーティング加工したものや、合成樹脂からなる繊維状体を織りあげたものや、塩化ビニル等の樹脂シートに編み模様を成形したものや、等が挙げられる。なお、織物の場合、その織り方は特に問われものではなく、例えば、平織り、綾織り、目積、諸目、龍鬢、ジャガード織等がある。
畳表２０の厚さは、機械的特性や製造コスト等の観点から通常、０．５〜４ｍｍの範囲内、より好ましくは、１〜３ｍｍの範囲内に設定される。
【００６７】
そして、本実施の形態の小ユニット畳Ｓ及び大ユニット畳Ｍでは、畳床１０の表面を覆い包むように畳表２０が畳床１０に直接縫付けやタッカー等によって取付けられる。詳細には、畳表２０が畳床１０に対してその上面（表面）全面を覆い、更に側面を全面的に覆い、側面から下面（裏面）にかけてまわり込むように折り返して、即ち、畳表２０の端部が畳床１０の裏面にまで達するように取り付けられる（図２参照）。このように、畳表２０を畳床１０に対してその上表面及び側面を全面的に覆うように取り付けることで、置き畳としてフローリング床等に敷いた場合でもその側面において畳床１０の裁断端部の構造が剥き出しとなって外観を損なうことなく見栄えが良いものとなる。また、使用によって、畳表２０が剥がれたり畳床１０が破損したりする恐れもなくなる。
【００６８】
しかし、小ユニット畳Ｓ及び大ユニット畳Ｍにおいて後述するような畳縁を設ける場合や、小ユニット畳Ｓ及び大ユニット畳Ｍを和室の床一面に敷き詰めるものとしてその側面があわらにならない場合には、畳表２０を畳床１０に対してその上表面から側面の一部にかけて、即ち、畳表２０の端部が側面に配するように取り付けても良い。
なお、畳表２０を畳床１０に対して取り付ける手段としては、例えば、タッカーを使用して取り付けることもできるし、畳糸等で縫着してもよい。
【００６９】
この際、畳表２０と畳床１０の密着性を高めて平坦性を確保するために、溶剤系、水性エマルジョン系、ホットメルト系等の接着剤や両面テープ等によって両者を接合するのが好ましい。このときの畳表２０と畳床１０の接着は、畳表２０の上面の裏面全面と畳床１０の上面全面とで行い、畳床１０の側面と畳表２０とを接着しないことで、側面側で寸法誤差を吸収し、また、側面側で余裕ができることで小ユニット畳Ｓ及び大ユニット畳Ｍを敷設したときの隣接する畳相互間が僅かにずれても隙間が生じ難いものとなる。
【００７０】
小ユニット畳Ｓ及び大ユニット畳Ｍの構成は、小ユニット畳Ｓ及び大ユニット畳Ｍを敷設する場所（例えば、一般家庭の家屋であるのか、清潔さや掃除のしやすさ等が求められる飲食店であるのか、畳への負荷が大きいオフィス等であるのか、畳への負荷が大きく頻繁な交換が必要とされる旅館等の大広場等であるのか）や、その敷設場所の設計・床下地材の材質（例えば、コンクリート上に敷設するのか、或いは木質フローロング床上に敷設するのか）や、敷設場所の気候、湿度等によって適宜その材料の選択や組み合わせや配列、構成部材の厚さ等の設定が可能である。
【００７１】
また、小ユニット畳Ｓ及び大ユニット畳Ｍの厚さ（厚み寸法）は、通常、１０〜６０ｍｍの範囲内に設定される。特に、小ユニット畳Ｓ及び大ユニット畳Ｍの厚さ（厚み寸法）を３０ｍｍ以下とすることで、厚みが薄いため、段差の少ないバリアフリーの要望に応えることができ、床暖房が設置された床面の上に敷設しても床暖房の熱を効率的に畳表２０まで伝達することが可能となる。更に、１０〜１８ｍｍの範囲内であると、マンション、アパート等に床面から２０ｍｍ以上離間して設置されているクローゼットの開閉扉の開閉操作が行われる床面上でも敷設可能となり、設置自由度が高まる。
【００７２】
なお、上記実施の形態の小ユニット畳Ｓ及び大ユニット畳Ｍは、畳表２０を畳床１０に直接縫付けやタッカー等によって取付けた所謂、「縁無し」とか「坊主畳」と言われるものであり、敷設したときに輪郭が強調されずシンプルで広く見せる効果がある。
しかし、本発明を実施する場合、畳表２０の特定の対向縁または全辺に絹、麻、木綿、化繊等の織物からなる畳縁を設け、この畳縁を畳床１０の側面に縫付け等することにより畳表２０を畳床１０に取付けることも可能である。この場合、畳木口部分（カマチ部分）等に、その角を正しく保つための補強材として頭板が畳表２０と畳床１０との間に挿入されることがある。また、通常、畳縁には、縁下地が芯材として用いられる。
【００７３】
ここで、本実施の形態の小ユニット畳Ｓ及び大ユニット畳Ｍがリビング等のフローリング床等に敷設する置き畳とされる場合には、芯材等を積層して形成した畳床１０に畳表２０を取り付けてなる畳構造体の裏面に、更に、滑り止め作用を有する防滑材３０が取り付けられる。
防滑材３０としては、例えば、酢酸ビニル共重合体、エチレン酢酸ビニル共重合体、エチレンアクリル酸エチル共重合体、エチレンアクリル酸メチル共重合体、エチレンプロピレン共重合体等のポリオレフィンや、ポリウレタン、シリコーン、ポリ塩化ビニル樹脂等の合成樹脂製や、ポリイソプロピレン、ポリブタジエン、ブタジエン−スチレン共重合体、アクリロニトリル−ブタジエン共重合体等の合成ゴム・天然ゴム製のシート状（不織布、フェルト状のものも含む）のものが使用される。これらは、小ユニット畳Ｓ及び大ユニット畳Ｍを敷設する床下材の材質等を考慮して選択され、床下材に対する摩擦係数が大きい材質が選択される。特に、ポリオレフィン系樹脂の場合、有害性も少なくリサイクル性にも優れる。床下地材との摩擦係数を少なくするために、床下地材への設置面となる裏面が、凹凸状を有するものであってもよい。更に、防滑材３０が合成樹脂発泡体からなる発泡体構造の場合やゴム等の弾力性を有する場合には、クッション性（柔軟性、衝撃吸収性）が高いものとなり、小ユニット畳Ｓ及び大ユニット畳Ｍの反り変形を防止できる。
【００７４】
次に、このように構成される小ユニット畳Ｓ及び大ユニット畳Ｍの製造手順について説明する。なお、小ユニット畳Ｓと大ユニット畳Ｍは、そのサイズが異なる以外は構成が同じであり製造手順も同一であるから、ここでは、両者を区別することなく説明する。
まず、畳床１０の芯材や構成部材を適宜積層し、積層した状態で、例えば、その長手方向に沿って畳用ミシン等を用いて畳糸（麻糸等）により縫製して糸締めすることにより、或いは、接着剤や両面接着テープ等により互いに接着することにより、畳床１００を形成する。なお、接着剤の塗布方法としては、刷毛による塗布やスプレーガンを用いた噴霧による塗布等が挙げられる。また、必要に応じて、接合する前に重ね合わせた畳床１０の材料をロールで圧縮する。
【００７５】
続いて、この畳床１０を所定の幅と長さの寸法に切断する。
具体的には、短辺と長辺の比を２：５とする長方形状に切断して小ユニット畳Ｓを構成する畳床１０とし、また、短辺と長辺の比を３：５とする長方形状に切断して大ユニット畳Ｍを構成する畳床１０とする。
例えば、一畳分サイズの半分の半畳に対応するサイズの畳床１０の対向する一対の辺において２：３のサイズ比で切断することで、２／５サイズ側のものを小ユニット畳Ｓを構成する短辺と長辺の比が２：５である畳床１０とし、３／５サイズ側のものを大ユニット畳Ｍを構成する短辺と長辺の比が３：５である畳床１０として得ることもできる。
特に、短辺と長辺の比が２：５及び３：５とする切断では、畳床１０の材質や強度に関わらず、畳製造における既存の設備を用いて高い寸法精度での切断加工が可能であり、低コストで加工性のよい一定の品質の畳床１０が得られる。
【００７６】
次に、合成樹脂または紙等の繊維状体やい草を織り上げて形成し、所定サイズに切断した畳表２００の裏面上に、上記所定サイズに切断した畳床１０を載せ置き、更に、畳表２０を畳床１０に対して側面から裏面にかけてまわり込むように折り返しその端部に沿ってタッカー止めや縫製を施すことによって、畳表２０を畳床１０に取り付ける。
なお、本実施の形態では、畳床１０に被せる畳表２０の端部が裏面に折り返せるように、畳表２０は、畳床１０の上表面及び側面全体を覆うことができる面積より大きいサイズに切断されたものが使用される。
【００７７】
また、畳表２０を畳床１０に取り付ける際には、畳床１０の上表面に、接着剤や両面テープを使用して畳表２０を接合することで、畳床１０との密着性を高めることができる。
更に、必要に応じて畳床１０の辺（縁）に沿ってプレス処理しながら畳表２０を折曲げ、畳１０の裏面では中央側に押しながらプレス処理していく。このようなプレス処理を行うことで、畳床１０と畳表２０の密着性を高め、また、畳表２０表面の折りしわ、織成むらをなくして凹凸感をなくし、更に、輪郭を整えることで見栄えを向上できる。なお、熱盤を用いてプレスを行ってもよい。
また、例えば、仕上がり寸法に対応させた所定サイズの四角形状の型枠に、畳床１０に畳表２０を被せた状態で挿入し、所定圧力で押し出すことで、畳床１０と畳表２０の密着性が高く、更に輪郭が整えられて見栄えが良く、寸法精度の高い小ユニット畳Ｓ及び大ユニット畳Ｍを得ることができる。
【００７８】
ここで、小ユニット畳Ｓ及び大ユニット畳Ｍにおいて畳縁を設けずに畳表２０を畳床１０の上表面及び側面を全面的に覆い、かつ、側面から裏面にかけてまわりこむように取り付ける場合においては、畳表２０の隣接辺の端部、即ち、畳床１０の側面や裏面に達する四隅の角部で重複部分（畳表２０の重なり合い）が生じる。
【００７９】
したがって、畳床１０の４隅にて畳表２０が重なり合う状態で畳表２０を畳床１０に取り付け小ユニット畳Ｓ及び大ユニット畳Ｍを形成した場合、床下地材の上に敷設した際に重複部以外の部分と床下地材との間に間隙ができて浮き上がりが生じることで、小ユニット畳Ｓ及び大ユニット畳Ｍの上を踏み込んだ際に、クッション性が良く、疲れにくいものとなる。また、床下地材との間に間隙が生じることで通気性が良くなりダニやカビの繁殖を抑えることができる。
【００８０】
しかし一方で、畳表２０の重なりを有することで、床下地材との間に生じた間隙によって踏み込み時における沈み込み量が大きく、違和感となることもある。そこで、重複部分を切断して加工することも可能である。
このとき切断部分の解れ、剥離等を防止するために、切断箇所に接着テープを貼りつけたり、蝋等のホットメルト系接着剤（溶融状態で塗布され、冷却によって固化することで接合する熱可塑性接着剤）で固めたりすることで見栄えや外観性を向上させることができ、また、敷設したときの隣接する畳相互の角部や辺部との間で隙間が生じ難く、密着性が高いものとなってゴミや埃が隙間に入るのが防止される。特に、ホットメルト系接着剤では、蝋等のオレフィン系のものが安価で、柔軟性がありながら接着力が高く、ホルムアルデヒド等の有害物質や有機溶剤を含まず地球環境にも優しい点から好適であるが、ポリアミド系、エステル系のホットメルト系接着剤を使用してもよい。
また、例えば、熱溶着性のあるポリエステル樹脂等を紡糸した繊維状体の織り込みによって畳表１０を形成した場合には、アイロン、はんだこて等の加熱手段によって切断部分の繊維状体を加熱して切断し、更に熱融着させることで一体化させることができ、切断部位の解れ等を防止する高い効果が得られる。
【００８１】
更に、このようにして畳表２０が畳床１０に取り付けられた畳構造体の裏面において、接着剤や両面テープを用いて防滑材３０を接合することで、フローリング床等に敷設した場合でもずれを防止できる。
【００８２】
このようにして、本発明の実施の形態の床面構造体１を構成する小ユニット畳Ｓ及び大ユニット畳Ｍが製造される。
【実施例】
【００８３】
以下、本発明の実施の形態の床面構造体１について実施例を挙げて具体的に説明する。
本実施の形態に係る本実施例の床面構造体１は、ハウスメーカ等により建築される近年の新築家屋、特に団地、アパート、マンション、公団住宅等の共同住宅や高層住宅に多く採用されている団地間（公団、五六間）サイズ（８５０ｍｍ×１７００ｍｍ）の半畳サイズ（８５０ｍｍ×８５０ｍｍ）の正方形畳の対向する一対の辺において２：３のサイズ比で分割して、図１に示すように、短辺と長辺の比を２：５とした（短辺；３４０±２０ｍｍ）×（長辺；８５０ｍｍ）の長方形状の小ユニット畳Ｓを１または２以上と、短辺と長辺の比を３：５とした短辺；５１０±２０ｍｍ×長辺；８５０ｍｍの大ユニット畳Ｍを１または２以上との２種の小ユニット畳Ｓ及び大ユニット畳Ｍの組み合わせからなるものである（図１参照）。
【００８４】
そして、図２に示したように、本実施例に係る小ユニット畳Ｓ及び大ユニット畳Ｍは、共に、畳床１０が畳表２０で覆われ、更にそれらの裏面に防滑材３０が取り付けられた構成を有する。
【００８５】
ここで、本実施例の小ユニット畳Ｓ及び大ユニット畳Ｍを構成する畳床１０は、芯材としてのインシュレーションボード（畳ボード）１１及びプラスチック段ボール（プラダン）１２と、クッション材（緩衝材）１３と、裏面材１４によって形成した（図２参照）。
【００８６】
インシュレーションボード１１は、木材チップ等から得られた植物繊維を押し固めて（圧縮成形して）ボード状にした木質繊維板である。例えば、スギ、ヒノキ、ヒバ、マツ等の針葉樹や、クリやカシ等の広葉樹等の木材をチップ状に破砕した後、解繊処理して得られた木材繊維（木質繊維、樹皮繊維）に澱粉等を主成分とする結合剤等を混合して圧縮成型し板状に形成したものが使用される。特に、シックハウス症候群を引き起こす要因ともなるホルムアルデヒド等の人体に有害な揮発性物質を含有させることなく澱粉等を主成分とする結合剤で木材繊維を固めて天然素材のみでインシュレーションボード１１を形成することで、ホルムアルデヒド等の揮発性物質を拡散させることなく人体や環境に優しい安全なものとなり、和室を好む高齢者や有害物質の吸引を避けるべき乳幼児にとっても安心で快適な室内環境を提供することができる。また、インシュレーションボード１１の木材特性によって小ユニット畳Ｓ及び大ユニット畳Ｍが敷設された室内空気の汚染物質を吸着し、浄化させることができる。更に、インシュレーションボード１１を形成する木材に間伐材及びそれらの間伐の際に生じる端材を利用することにより、木材資源の有効活用や環境保全に貢献することができる。なお、インシュレーションボード１１の上層または下層に、例えば、パーティクルボード等の木質ボードを補強材として用いてもよい。
【００８７】
また、プラスチック段ボール１２は、波形状に形成したプラスチック製の中芯の片面または両面にプラスチック製ライナを貼付けて形成される中空構造のプラスチック板材である。その材質としては、ポリスチレン系、ポリエチレン系、ポリプロピレン系、フェノール系、ウレタン系、塩化ビニル系樹脂等が挙げられるが、成形性、リサイクル性、廃棄物処理性熱に対する寸法安定性等の観点から、ポリエチレン系、ポリプロピレン系樹脂が好ましい。
【００８８】
更に、クッション材１３は、クッション性を強化するめに畳床１０の最上層部に配設されるものであり、本実施例では、ポリエチレン、ポリエチレンテレフタレート等の不織布を使用した。
なお、本発明を実施する場合には、クッション材１３として、不織布の他にも、ウレタン、プラスチック等の発泡体、ＭＦシート（紙繊維に無機材料、例えば石膏等を混ぜ成形したもの）等を使用することも可能である。特に、不織布や発泡体のような多孔質のものを使用することで、通気性があり湿気が溜まり難くなるのでダニやカビの繁殖を防止できる。
【００８９】
加えて、裏面材１４は、畳床１０の裏面を強化するためのものであり、例えば、ポリプロピレン、ポリ塩化ビニル等の合成樹脂シートが使用される。
なお、本発明を実施する場合には、この合成樹脂シートは、防湿シートであっても良いし、麻布等の織布で補強されたものであっても良いし、活性炭や木炭等の炭素粉が使用された炭素シートや強度のある不織布とすることも可能である。また、従来の稲藁で編んだコモ等であってもよい。
【００９０】
そして、本実施例では、下側にプラスチック段ボール１２を配設し、その上側にインシュレーションボード１１を積層して２層構造とした芯材の上層にクッション材１３を配設し、また、芯材の下層に裏面材１４を配設した積層状態で、畳糸により縫製することによってまたは接着剤や両面接着テープ等により互いに接着することで、畳床１０を形成した。
即ち、本実施例に係る小ユニット畳Ｓ及び大ユニット畳Ｍを構成する畳床１０は、下側から上側に向かって、裏面材１４、プラスチック段ボール１２、インシュレーションボード１１、クッション材１３の順に積層し、畳糸で糸締めした、または相互に接着された積層構造体として形成されている。
【００９１】
このようにインシュレーションボード１１、プラスチック段ボール１２、クッション材１３及び裏面材１４からなる畳床１０から形成される本実施例の小ユニット畳Ｓ及び大ユニット畳Ｍにおいては、極めて軽量で、積層や切断の作業性及び取扱性が良く、形状安定性にも優れ、寸法精度の高い切断が容易にでき、また、タッカー等を使用して容易に接合できる。加えて、適度な熱伝導率を得て、フローリング床等に敷設した際には、室内の温度を安定に保つことができ、室内の温度制御に用いられる暖房機による熱効率を高め運転エネルギを節減する効果が期待される。
【００９２】
特に、畳床１０の芯材として、木材繊維からなるインシュレーションボード１１を使用していることで、木材の特性である抗菌性、調湿性、脱臭性、断熱性、吸音性等が発揮され、日本の高温多湿環境下での使用においても腐食し難く安定した品質が維持される。即ち、インシュレーションボード１１１の抗菌性によってダニやカビ等の繁殖が抑制されるうえ、インシュレーションボード１１の調湿効果によって室内の湿度を一定に保つことでも防ダニ・防カビ効果を発揮できる。更に、インシュレーションボード１１０が脱臭性、断熱性、吸音性も有することで、小ユニット畳Ｓ及び大ユニット畳Ｍが敷設された室内を居住者が快適に過ごせる環境とすることができる。そのうえ、リサイクルも可能である。
【００９３】
また、畳床１０の芯材としてインシュレーションボード１１に加え、プラスチック段ボール１２を使用していることで、軽量でありながらも高い強度を確保でき耐久性も良く、更に、緩衝性が向上し、熱や湿度による伸縮や反り変形も抑えることができる。
【００９４】
更に、芯材としてのインシュレーションボード１１の上に配設したクッション材１３によりクッション性が高いものとなり、感触もよくなる。また、クッション材１３が畳表２０に覆われる畳床１０の最上層部に配設、即ち、クッション材１３が畳床１０の芯材としてのインシュレーションボード１１と畳表２０との間に配設されることで、畳表２０とインシュレーションボード１１との間の摩擦を低減化して畳表２０の擦り切れを防止できる。これにより、使用による擦り切れによって畳表２０の表面に凹凸が生じるのが防止される。また、クッション材１３によって、クッション材１３以外の畳床１０を構成する構成部材の寸法のばらつきを吸収できる。故に、畳床１０の形状安定性を確保できる。更に、クッション材１３によって音や振動を吸収でき、防音・遮音効果を期待できる特に、不織布から形成されたクッション材１３は、通気性や柔軟性（クッション性）に優れ、通気性が高いことで、ダニやカビの繁殖を防止できる。
【００９５】
加えて、畳床１０の下層に配設した裏面シート１４により畳床１０の裏面が強化され、裏面シート１４によっても反り変形が防止される。
【００９６】
また、畳床１０を覆う本実施例の畳表２０は、耐熱性や強度等に優れたポリオレフィン樹脂等の合成樹脂を筒状（パイプ状）や柱状等に成形（紡糸）して得られた繊維状体（線状体）を編みあげたものや、和紙を筒状（パイプ状）や柱状等に成形（紡糸）して得られた繊維状体（線状体）を編みあげて合成樹脂でコーティング加工したもので形成される。特に、合成樹脂や和紙に染料や顔料等の着色剤を配合し紡糸して得られた繊維状体（線状体）を複数異なる配色のものと組み合わせて織り上げたり、１本の繊維状体を多色に染めて織り上げたりして得た畳表２０では、複雑な色模様を意匠面に形成できる。また、繊維状体に吸湿性が高い炭酸カルシウム等が混在されていると、べたつき等が抑えられて天然のい草に近い肌触りが得られ、かつ、耐久性にも優れ、静電気も発生し難いものとなる。
【００９７】
なお、本発明を実施する場合には、畳表２０を構成する合成樹脂や和紙の成形方法は特に限定されるものではなく、また、合成樹脂の種類も、ポリエチレン、ポリプロピレン等のポリオレフィン系樹脂の他、ポリアミド系樹脂、ポリエステル系樹脂、アクリル系樹脂等を使用できる。しかし、耐摩耗性等の強度、耐久性、耐熱性、加工性、コスト等の観点からポリオレフィン系樹脂や熱溶着性のあるポリエステル系樹脂が好ましい。
【００９８】
このように、本実施例では、畳表２０を合成樹脂で形成したりコーティング加工したりしたことで、耐摩耗性等の強度が高く、かつ、変色（色あせ）も生じ難くて耐久性が高く、均一な品質のものを工業的に量産できる。更に、吸水・吸湿性が低くて防虫（防ダニ）・防かび性も高く、タバコの焼け焦げ等による変色も生じ難く水洗い等で汚れを落とすことが容易にでき、手入れや掃除もしやすいものとなる。
【００９９】
そして、本実施例の小ユニット畳Ｓ及び大ユニット畳Ｍにおいては、このように不織布からなるクッション材１３、インシュレーションボード１１、プラスチック段ボール１２、裏面材１４を積層して形成した畳床１０に合成樹脂で形成したりコーティング加工したりした畳表２０を取り付けてなる畳構造体の裏面に、更に、防滑材３０として床下地材への設置面となる裏面に凹凸を有する合成樹脂発泡体からなる防滑シートが取り付けられている（図２参照）。この防滑材３０によって、小ユニット畳Ｓ及び大ユニット畳Ｍの厚さが薄く軽量のものであっても、フローリング床等に敷いた際に僅かな外力で移動してしまうずれが防止され使い勝手を良くし、ずれによる転倒防止の危険性を小さくする。更に、防滑材３０が合成樹脂発泡体からなることで、クッション性を有し、転倒した場合でもクッション性によりその衝撃を吸収できることで安全性が高いものとなる。また、防滑材３０が合成樹脂発泡体からなることで反り変形も防止できる。
【０１００】
ここで、本実施例の小ユニット畳Ｓ及び大ユニット畳Ｍにおいては、畳表１０の厚さを３ｍｍ、畳床１０の厚さを９ｍｍ、詳細にはクッション材１３の厚さを０．２ｍｍ、インシュレーションボード１１の厚さを６ｍｍ、プラスチック段ボール１２の厚さを２．５ｍｍ、裏面材１４の厚さを０．３ｍｍ、また防滑材３０の厚さを３ｍｍとして合計１５ｍｍの厚さとした。
このように厚み寸法を薄くすることで、小ユニット畳Ｓと大ユニット畳Ｍをリビング等のフローリング床等に敷設した際でも段差が少なく、躓き等による転倒を効果的に防止できる。また、床暖房が設置された床面の上に敷設した場合でも、熱の伝導性が良好で床暖房の熱を畳表１０に伝達でき、床暖房上にも好適に使用できる。更に、図８に示すように、マンション、アパート等に床面から２０ｍｍ以上離間して設置される洋間のクローゼットの開閉扉３２等の開閉操作が行われるフローリング等の床面上でも敷設可能となり、設置自由度が高いものとなる。なお、図８の符号３１は、壁面である。
そして、このように畳床１０の芯材を構成するインシュレーションボード１１及びプラス  チック段ボール１２の合計厚みを８ｍｍ〜１０ｍｍの範囲内とし、クッション材１３の厚みを０．１〜０．３ｍｍの範囲内とし、裏面材１４の厚みを０．２〜０．４ｍｍの範囲内とし、畳表２０の厚みを２．５〜３ｍｍの範囲内とし、防滑材３０の厚みを２〜４ｍｍの範囲内としたものでは、厚みが薄くても適度な硬さと柔らかさを有し、座ったり寝転んだりしたときに寛ぎやすく快適なものとなる。
【０１０１】
次に、このような構成の本実施例の小ユニット畳Ｓ及び大ユニット畳Ｍの製造手順について説明する。
本実施例では、下から順に、裏面材１４、プラスチック段ボール１２（芯材）、インシュレーションボード１１（芯材）、及びクッション材１３を配置して積層した状態で、その長手方向に沿って畳用ミシン等を用いて畳糸により縫製して糸締めすることにより、或いは、両面接着テープ等により互いに接着することにより、畳床１０を形成した。
【０１０２】
続いて、このようにして形成した畳床１０を、小ユニット畳Ｓの仕上がり寸法が（短辺；３４０±２０ｍｍ）×（長辺；８５０ｍｍ）となるように、畳表２０の厚み分（３ｍｍ）を差し引いて、（短辺；（３４０−３×２）±２０ｍｍ）×（長辺；８５０−３×２ｍｍ）のサイズに切断して、小ユニット畳Ｓの畳床１０とした。また、大ユニット畳Ｍの仕上がり寸法が（短辺；５１０±２０ｍｍ）×（長辺；８５０ｍｍ）となるように、畳表２０の厚み分３ｍｍを差し引いて、（短辺；（５１０−３×２）±２０ｍｍ）×（長辺；８５０ｍｍ−３×２ｍｍ）のサイズに切断して、大ユニット畳Ｍの畳床１０とした。
ここでは、最初に一畳分サイズの半分の半畳に対応する（８５０ｍｍ−３×２ｍｍ）×（８５０ｍｍ−３×２ｍｍ）サイズの正方形状に切断し、この正方形状の所定サイズに切断された畳床１０の対向する一対の辺において２：３のサイズ比で分割することで、このとき±２０ｍｍの範囲内の設計変更は許容され、小ユニット畳Ｓを構成する（短辺；（３４０−３×２）±２０ｍｍ）×（長辺；８５０−３×２ｍｍ）サイズの畳床１０と、大ユニット畳Ｍを構成する（短辺；（５１０−３×２）±２０ｍｍ）×（長辺；８５０ｍｍ−３×２ｍｍ）サイズの畳床１０を得た。
【０１０３】
特に、（８５０ｍｍ−３×２ｍｍ）×（８５０ｍｍ−３×２ｍｍ）サイズの正方形状に切断した畳床１０に対して、その対向する一対の辺において２：３のサイズ比とする切断においては、畳床１０が薄くても、既存の設備を用いて高い寸法精度での切断加工が可能であり、製造作業が容易であり、低コストで加工できる。
【０１０４】
次に、合成樹脂で形成またはコーティング加工され、所定サイズに切断した畳表２０の裏面上に畳床１０のクッション材１３側を配して畳床１０を載せ置き、畳表２０を畳床１０に対して側面から畳床１０の裏シート１４の裏面にかけてまわり込むように折り返してその端部に沿って仮止めテープとして接着テープを貼り付けて畳床１０に仮固定する。
本実施例では、小ユニット畳Ｓを構成する畳表２０は、例えば、３６０ｍｍ×８７０ｍｍ以上のサイズ、大ユニット畳Ｍを構成する畳表２０は、例えば、５３０ｍｍ×８７０ｍｍ以上のサイズに切断され、畳床１０に被せる畳表２０の端部が畳床１０の裏面（下面）に折り返されて畳床１０の裏面でタッカー止めまたは縫着される。
【０１０５】
このとき、本実施例では、合成樹脂で形成またはコーティング加工されてなる畳表２０の裏面と畳床１０の上表面（クッション材１３の上表面）との間に、両面接着テープを配して畳表２０と畳床１０を接合し密着性を高める。両面接着テープを使用することで、溶剤系接着剤の溶剤の揮発による健康面への悪影響もない。
加えて、畳表２０を畳床１０に取り付ける際に、畳床１０の辺（縁）に沿ってプレス処理しながら畳表２０を折曲げ、畳床１０の裏面では中央側に押しながらプレス処理していく。プレス処理を行うことで、畳床１０と畳表２０の密着性を更に高め、また、畳表２０表面の折りしわや織成むらをなくして凹凸感をなくし、輪郭を整えることで見栄えを向上できる。
【０１０６】
また、本実施例では、畳表２０の隣接辺の端部、即ち、畳床１０の四隅の角部における重複部分（畳表２０の重なり合い）を切断し、更に切断部分を蝋（ホットメルト接着剤）で接合し固めることで、切断部分の解れや剥離等を防止し、見栄えや外観性を良好なものとしている。このように重複部分が切断されることで、小ユニット畳Ｓ及び大ユニット畳Ｍの全体の厚みが略均一となって、床下地材との間に間隙を生じることなく敷設でき、踏み込み時における沈み込みによる違和感がなく使い心地の良いものとなる。また、敷設したときの隣接する畳相互の角部や辺部との間で隙間が生じ難く、密着性が高くなり、ゴミや埃が隙間に入るのが防止される。更に、有機溶剤を含有しないホットメルト系接着剤である蝋を使用していることで、安価で高い接着力が得られ、健康面への悪影響もない。
【０１０７】
そして、本実施例の小ユニット畳Ｓ及び大ユニット畳Ｍでは、畳床１０を覆った畳表２０の端部に沿って、タッカー止めや縫製が施すことで、畳表２０が畳床１０に取り付け固定される。
更に、本実施例では、畳表２０で覆われた畳床１０の裏面に両面接着テープで防滑材３０を接合し取り付ける。両面接着テープを使用することで、溶剤系接着剤の溶剤の揮発による健康面への悪影響もない。
図２においては、畳表２０が裏面側にまわりこむ分だけプラスチック段ボール１２は、インシュレーションボード１１よりも寸法形状を小さくし、裏面材１４がプラスチック段ボール１２の側面及び下面を覆うようにして、畳表２０が裏面側にまわり込んだ部分では、裏面材１４がインシュレーションボード１１の下面に直接配設されている。
なお、クッション材１３や防滑材３０のクッション性（弾力性）により畳表２０との境界の段差を吸収できる領域もある。
【０１０８】
このようにして、短辺と長辺の比が２：５である（短辺；３４０±２０ｍｍ）×（長辺；８５０ｍｍ）の長方形状の小ユニット畳Ｓや、短辺と長辺の比が３：５である（短辺；５１０±２０ｍｍ）×（長辺；８５０ｍｍ）の大ユニット畳Ｍが得られる。これらは互いの１つの長辺を合わせることで正方形状の（８５０ｍｍ）×（８５０ｍｍ）サイズの半畳を形成するものである。
そして、本実施例では、この短辺と長辺の比が２：５である（短辺；３４０±２０ｍｍ）×（長辺；８５０ｍｍ）の長方形状の小ユニット畳Ｓを１または２以上と、短辺と長辺の比が３：５である（短辺；５１０±２０ｍｍ）×（長辺；８５０ｍｍ）の大ユニット畳Ｍを１または２以上の２種の小ユニット畳Ｓ及び大ユニット畳Ｍの組み合わせによって床面構造体１を形成する。
【０１０９】
このような本実施の形態及び本実施例に係る床面構造体１によれば、図１で示されるように、短辺と長辺の比が２：５である（短辺；３４０±２０ｍｍ）×（長辺；８５０ｍｍ）の長方形状の小ユニット畳Ｓを１または２以上と、短辺と長辺の比が３：５である（短辺；５１０±２０ｍｍ）×（長辺；８５０ｍｍ）の長方形状の大ユニット畳Ｍを１または２以上の２種の小ユニット畳Ｓ及び大ユニット畳Ｍの組み合わせによって、長手方向及び短手方向を同一にして並行に隣接して配列した小ユニット畳Ｓと大ユニット畳Ｍから任意に選択される２枚の小ユニット畳Ｓ及び／または大ユニット畳Ｍに対し、別途小ユニット畳Ｓと大ユニット畳Ｍから任意に選択される１枚の小ユニット畳Ｓまたは大ユニット畳Ｍを、並行に配列させた２枚の小ユニット畳Ｓ及び／または大ユニット畳Ｍに対して長手方向と短手方向を逆にして直角に隣接させ、隣接させた３枚の隣接辺同士でＴ字状または逆Ｔ字状を形成するように配列することで、即ち、同一の方向性で並列させた２枚の小ユニット畳Ｓ及び／または大ユニット畳Ｍの長手方向に対して、別の１枚の小ユニット畳Ｓまたは大ユニット畳Ｍの短手方向が同一方向になるよう配列（換言すると、同一の方向性で並列させた２枚の小ユニット畳Ｓ及び／または大ユニット畳Ｍの短手方向に対して、別の１枚の小ユニット畳Ｓまたは大ユニット畳Ｍの長手方向が同一方向になるよう配列）する組み方で、小ユニット畳Ｓや大ユニット畳Ｍの角部の４つが１箇所に集中することなく従来の和室等の規格にもなっている全体が正方形状の２帖（図４（ａ））、４帖半（４．５帖）（図５（ｂ））、８帖（図７（ａ））等に対応した敷設が可能である。更に、全体を長方形状とする６帖（図６（ａ））等でも同様に可能である。
【０１１０】
したがって、リビング等のフローリング床等に置き畳として敷設した際でも、畳の角部の４つが１箇所に集中することで生じやすくなる位置ずれを防止でき、隣接する畳相互と間に隙間を生じさせにくい配列となって、隙間にゴミや埃等が溜まってダニが繁殖しやくなる事態を防止して衛生的に保つことができ、また、位置ずれを直す手間も少なく、ずれによる転倒の危険性も小さく、敷設の使い勝手が良いものとなる。
【０１１１】
ところで、実施例のように団地間（公団、五六間）サイズ（８５０ｍｍ×１７００ｍｍ＝１．４４５ｍ２）の半分の正方形の半畳サイズ（８５０ｍｍ×８５０ｍｍ＝０．７２２５ｍ２）の畳規格に対応させて、この半畳の対向する１対の辺において２：３のサイズ比で分割した、長方形状の小ユニット畳Ｓのサイズは、（短辺；３４０±２０ｍｍ）×（長辺；８５０ｍｍ）＝０．２８９±０．０１７ｍ２であり、長方形状の大ユニット畳Ｍのサイズは、（短辺；５１０±２０ｍｍ）×（長辺；８５０ｍｍ）＝０．４３３５±０．０１７ｍ２である。
そして１帖サイズ＝８５０ｍｍ×１７００ｍｍ＝１．４４５ｍ２と規定した場合、小ユニット畳Ｓ（０．２８９±０．０１７ｍ２）１枚と長方形状の大ユニット畳Ｍ（０．４３３５±０．０１７ｍ２）１枚の組み合わせで０．５帖サイズ＝０．７２２５ｍ２となり、小ユニット畳Ｓ（０．２８９±０．０１７ｍ２）２枚と長方形状の大ユニット畳Ｍ（０．４３３５±０．０１７ｍ２）を２枚の組み合わせで１帖サイズ＝１．４４５ｍ２となる。
【０１１２】
ここで、従来の正方形状の半畳のみの組み合わせの場合では、例えば半畳１枚で０．５帖サイズ、半畳２枚で１帖サイズ、半畳３枚で１．５帖サイズ、半畳４枚で２帖サイズ、半畳５枚で２．５帖サイズ等、半畳６枚で３帖サイズ、半畳７枚で３．５帖サイズ、半畳８枚で４帖サイズ等と対応可能なサイズが限定される。
これに対し、本発明の床面構造体１によれば、互いの１つの長辺を合わせることで正方形状の（８５０ｍｍ）×（８５０ｍｍ）サイズの半畳を形成する、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの組み合わせからなることから、０．５帖、１帖、１．５帖、２帖、２．５、３帖、３．５帖、４帖、４．５帖、５帖、５．５帖、６帖、６．５帖、７帖、７．５帖等に限らず、これらの中間サイズを表現することが可能である。特に、畳の総数を同一としていても、小ユニット畳Ｓと大ユニット畳Ｍの枚数の組み合わせ方によって、異なるサイズを表現できる。
【０１１３】
１帖サイズ＝１．４４５ｍ２と規定した場合、例えば、畳の総数を３枚として、小ユニット畳Ｓ（０．２８９±０．０１７ｍ２）を２枚と長方形状の大ユニット畳Ｍ（０．４３３５±０．０１７ｍ２）を１枚との組み合わせでは、総面積が（０．２８９±０．０１７ｍ２×２）＋（０．４３３５±０．０１７ｍ２）＝１．０１１５ｍ２±０．０５１ｍ２であるから、（１．０１１５ｍ２±０．０５１ｍ２）／１．４４５ｍ２≒０．７帖サイズとなる。
また、畳の総数が同じ３枚でも、小ユニット畳Ｓ（０．２８９±０．０１７ｍ２）を１枚と長方形状の大ユニット畳Ｍ（０．４３３５±０．０１７ｍ２）を２枚の組み合わせでは、総面積が（０．２８９±０．０１７ｍ２）＋（０．４３３５±０．０１７ｍ２×２＝１．１５６ｍ２±０．０５１ｍ２であるから、（１．１５６ｍ２±０．０５１ｍ２）／１．４４５ｍ２≒０．８帖サイズとなる。
【０１１４】
更に、例えば、図３（ａ）乃至図３（ｄ）に示すように、畳の総数を６枚としていても、図３（ａ）に示した小ユニット畳Ｓ（０．２８９±０．０１７ｍ２）を２枚と長方形状の大ユニット畳Ｍ（０．４３３５±０．０１７ｍ２）を４枚の組み合わせでは、（０．２８９±０．０１７ｍ２×２）＋（０．４３３５±０．０１７ｍ２×４）／１．４４５ｍ２≒１．６帖サイズ（以下、１．５帖相当のサイズと記す）となる。
図３（ｂ）に示した小ユニット畳Ｓ（０．２８９±０．０１７ｍ２）を４枚と長方形状の大ユニット畳Ｍ（０．４３３５±０．０１７ｍ２）を２枚との組み合わせでは、（０．２８９±０．０１７ｍ２×４）＋（０．４３３５±０．０１７ｍ２×２）／１．４４５ｍ２≒１．４帖サイズ（以下、１．５帖相当のサイズと記す）となる。
そして、図３（ｃ）及び図３（ｄ）に示した小ユニット畳Ｓ（０．２８９±０．０１７ｍ２）を３枚と長方形状の大ユニット畳Ｍ（０．４３３５±０．０１７ｍ２）を３枚との組み合わせは、（０．２８９±０．０１７ｍ２×３）＋（０．４３３５±０．０１７ｍ２×３）／１．４４５ｍ２＝１．５帖サイズとなる。
【０１１５】
また、例えば、畳の総数を１０枚としていても、図４（ｂ）に示した小ユニット畳Ｓ（０．４３３５±０．０１７ｍ２）を６枚と長方形状の大ユニット畳Ｍ（０．４３３５±０．０１７ｍ２）を４枚の組み合わせでは、（０．２８９±０．０１７ｍ２×６）＋（０．４３３５±０．０１７ｍ２×４）／１．４４５ｍ２≒２．４帖サイズ（以下、２．５帖相当のサイズと記す）となる。
図示していないが、小ユニット畳Ｓ（０．２８９±０．０１７ｍ２）を４枚と長方形状の大ユニット畳Ｍ（０．４３３５±０．０１７ｍ２）を６枚の組み合わせでは、（０．２８９±０．０１７ｍ２×６）＋（０．４３３５±０．０１７ｍ２×４）／１．４４５ｍ２≒２．６帖サイズ（以下、２．５帖相当のサイズと記す）となる。
そして、図示していないが、小ユニット畳Ｓ（０．２８９±０．０１７ｍ２）を５枚と長方形状の大ユニット畳Ｍ（０．４３３５±０．０１７ｍ２）を５枚の組み合わせでは、（０．２８９±０．０１７ｍ２×６）＋（０．４３３５±０．０１７ｍ２×４）／１．４４５ｍ２＝２．５帖サイズとなる。
【０１１６】
このように、本発明の床面構造体１によれば、互いの１つの長辺を合わせることで正方形状の（８５０ｍｍ）×（８５０ｍｍ）サイズの半畳を形成する、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの組み合わせからなることから、１．５帖、２帖、２．５帖、３帖、３．５帖、４帖、４．５帖、５帖、５．５帖、６帖、６．５帖、７帖、７．５帖、８帖等の間の中間サイズを表現することができ、表現可能なサイズのバリエーションが増え、変形可能なサイズの種類が増えたことで、敷設場所等に合わせた微調整が可能となり、より使用者のニーズ等に沿った対応が可能である。
【０１１７】
加えて、従来の正方形状の半畳のみの組み合わせの場合、従来の和室等の規格になっている２帖、４帖半、６帖、８帖等の間のサイズ、例えば、半畳３枚で１．５帖サイズ、半畳５枚で２．５帖サイズ、半畳７枚で３．５帖サイズ、半畳１１枚で５．５帖サイズ、半畳１３枚で６．５帖サイズ、半畳１５枚で７．５帖サイズ、半畳１７枚で８．５帖サイズ等としたとき、即ち、１帖、２帖、３帖、４帖、５帖、６帖、７帖、８帖等の間の中間サイズに対応させるとき、全体形状がＬ字状の配列に限定される。また、従来の和室等の規格になっている２帖、４帖半、６帖、８帖等以外のサイズの、半畳６枚で３帖、半畳８枚で４帖、半畳１０枚で５帖、半畳１４枚で７帖等とするときでも、全体の縦横比の差が大きく全体形状が細長の長方形状に限定される。
これに対し、本発明の床面構造体１によれば、図３乃至図７に示したように、３帖サイズ（図４（ｃ））、４帖サイズ（図５（ａ））、５帖サイズ（図５（ｃ））、７帖サイズ（図６（ｃ））や、それらの中間サイズの１．５帖相当のサイズ（図３（ａ）、３（ｂ））、２．５帖相当のサイズ（図４（ｂ））、３．５帖相当のサイズ（図４（ｄ））、５．５帖相当のサイズ（図５（ｄ））、６．５帖相当のサイズ（図６（ｂ））、７．５帖相当のサイズ（図６（ｄ））、８．５帖相当のサイズ（図７（ｂ））等としても、全体形状をＬ字状とする配列や全体の縦横比の差が大きく全体形状を細長の長方形状とする配列に限定されず、全体の縦横比の差が小さく全体形状が正方形に近い形を表現できる。
勿論、このときも、隣接させた３枚の隣接辺同士でＴ字状または逆Ｔ字状を形成するように配列することで、小ユニット畳Ｓや大ユニット畳Ｍの角部の４つが一か所に収集させることない配列が可能である。
【０１１８】
即ち、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの組み合わせによって、半畳と４帖半畳の組み合わせの場合よりも配列及び組み合わせパターンが増大し、例えば、図３（ａ）及び図３（ｂ）に示したように、全体を四角形状として１．５帖相当のサイズに対応させることが可能となるうえ、小ユニット畳Ｓ及び大ユニット畳Ｍの配列及び組み合わせ方により複数の寸法形状を異にした外形表現が可能でより多くの外形及び内部モザイク模様の形成が可能である。特に、図３（ａ）に示したように、全体形状の全体の縦横比の差がより小さく全体形状がより正方形状に近い視覚的にバランスの良い外形を形成することも可能となる。
【０１１９】
勿論、使用者の好み、用途、敷設場所等によっては、例えば、図３（ｃ）に示すように、全体形状をＬ字状とする配列や、図３（ｄ）に示すように、小ユニット畳Ｓ及び大ユニット畳Ｍの全てを並行に配列して全体の縦横比の差が大きく全体形状を細長の長方形状とする配列も可能である。また、小ユニット畳Ｓや大ユニット畳Ｍの角部の４つが１箇所に集中するような配列とすることもできる。
【０１２０】
因みに、図３（ａ）は本実施例の小ユニット畳Ｓを２枚と大ユニット畳Ｍを４枚使用して１．５帖相当のサイズで全体の縦横比の差が小さい四角形状としたものである。また、図３（ｂ）は本実施例の小ユニット畳Ｓを４枚と大ユニット畳Ｍを２枚使用して１．５帖相当のサイズで全体の縦横比の差が小さい四角形状としたものである。図３（ｃ）は本実施例の小ユニット畳Ｓを３枚と大ユニット畳Ｍを３枚使用して１．５帖サイズで全体をＬ字形状としたものであり、図３（ｄ）は本実施例の小ユニット畳Ｓを３枚と大ユニット畳Ｍを３枚使用して１．５帖サイズで全体の縦横比の差が大きい細長形状としたものである。
【０１２１】
図４（ａ）は本実施例の小ユニット畳Ｓと大ユニット畳Ｍを４枚ずつ使用して２帖サイズで正方形としたものであり、図４（ｂ）は本実施例の小ユニット畳Ｓを６枚と大ユニット畳Ｍを４枚使用して２．５帖相当のサイズで全体の縦横比の差が小さい四角形状としたものであり、図４（ｃ）は本実施例の小ユニット畳Ｓと大ユニット畳Ｍを６枚ずつ使用して３帖サイズで全体の縦横比の差が小さい四角形状としたものであり、図４（ｄ）は本実施例の小ユニット畳Ｓを８枚と大ユニット畳Ｍを６枚使用して３．５帖相当のサイズで全体の縦横比の差が小さい四角形状としたものである。
【０１２２】
図５（ａ）は本実施例の小ユニット畳Ｓと大ユニット畳Ｍを８枚ずつ使用して４帖相当のサイズで全体の縦横比の差が小さい四角形状としたものであり、図５（ｂ）は本実施例の小ユニット畳Ｓと大ユニット畳Ｍを９枚ずつ使用して４．５帖サイズで正方形としたものであり、図５（ｃ）は本実施例の小ユニット畳Ｓと大ユニット畳Ｍを１０枚ずつ使用して５帖サイズで全体の縦横比の差が小さい四角形状としたものであり、図５（ｄ）は本実施例の小ユニット畳Ｓを１２枚と大ユニット畳Ｍを１０枚使用して５．５帖相当のサイズで全体の縦横比の差が小さい四角形状としたものである。
【０１２３】
図６（ａ）は本実施例の小ユニット畳Ｓと大ユニット畳Ｍを１２枚ずつ使用して６帖サイズで全体の縦横比の差が小さい四角形状としたものであり、図６（ｂ）は本実施例の小ユニット畳Ｓを１４枚と大ユニット畳Ｍを１２枚ずつ使用して６．５帖相当のサイズで全体の縦横比の差が小さい四角形状としたものであり、図６（ｃ）は本実施例のユニット畳Ｓと小ユニット畳Ｍを１４枚ずつ使用して７帖サイズで全体の縦横比の差が小さい四角形状としたものであり、図６（ｄ）は本実施例の小ユニット畳Ｓを１６枚と大ユニット畳Ｍを１４枚使用して７．５帖相当のサイズで全体の縦横比の差が小さい四角形状としたものである。
【０１２４】
図７（ａ）は本実施例の小ユニット畳Ｓと大ユニット畳Ｍを１６枚ずつ使用して８帖サイズで正方形状としたものであり、図７（ｂ）は本実施例の小ユニット畳Ｓを１６枚と大ユニット畳Ｍを１８枚ずつ使用して８．５帖相当のサイズで全体の縦横比の差が小さい四角形状としたものである。
なお、これらの図は配列及び組み合わせの一例を示すものであり、使用者の好みや用途等に応じて小ユニット畳Ｓ及び大ユニット畳Ｍの枚数や配列及び組み合わせが選択される。
【０１２５】
そして、本発明の床面構造体１においては、互いの１つの長辺を合わせることで正方形状の（８５０ｍｍ）×（８５０ｍｍ）サイズの半畳を形成する、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの組み合わせであり、小ユニット畳Ｓ及び大ユニット畳Ｍは長方形状であって長手方向や短手方向といった方向性が付与されていることで、方向性を同一としたり方向性を変えたりする配列及び組み合わせによって、規則的、不規則的（ランダム）、対称的といった意匠の演出が可能であり、多様な外形及び内部モザイク模様を表現できる。
【０１２６】
特に、各小ユニット畳Ｓ及び大ユニット畳Ｍが長方形状であり、かつ、短辺と長辺の比が２：５の小ユニット畳Ｓと短辺と長辺の比が３：５の大ユニット畳Ｍの組み合わせであることで全体的な統一感もあり視覚的なバランスに優れる。
【０１２７】
ここで、短辺と長辺の比が２：５未満の小ユニット畳と短辺と長辺の比が３：５を超える大ユニット畳の組み合わせでは、短辺と長辺の比が２：５未満の小ユニット畳の縦横比が大きく細長となることで、それが視覚的に強調されてバランスが悪いものとなる。また、１帖、２帖、３帖、４帖、５帖、６帖、７帖、８帖等の間の中間サイズに対応させるようとすると、全体形状がＬ字状の配列に限定され、また、４．５帖、６帖、８帖等の従来の畳規格以外の３帖、４帖、５帖、７帖に対応させる場合でも、全体の縦横比の差が大きく全体形状が細長の長方形状に限定される。また、畳製造における既存の設備を用いて高い寸法精度で小ユニット畳Ｓを構成する畳床１０を切断するのが困難であり、製造コストが上昇する。更に、小ユニット畳の短辺と長辺の比を２：５未満とすると、軽量となることで敷設したときにずれが生じやすくなる。また、反り変形が生じやすくもなり、反り変形を抑えようとすると製造コストが更に増大する。
【０１２８】
しかし、本発明では短辺と長辺の比が２：５の長方形状の小ユニット畳Ｓと短辺と長辺の比が３：５の長方形状大ユニット畳Ｍの組み合わせとし、小ユニット畳Ｓ及び大ユニット畳Ｍが長方形状であることで、全体的な統一感があり視覚的にバランスがよく見栄えや意匠性に優れたものとなり、更に、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さく全体形状が正方形に近づく視覚的にバランスの良い外形表現も可能となり、意匠面の表象自由度が高いものとなる。勿論、小ユニット畳Ｓ及び大ユニット畳Ｍの互いの１つの長辺を合わせることで正方形状を形成することから、正方形状の意匠面を表象することも可能である。また、既存の設備を用いて高い寸法精度の一定の品質で切断加工が可能であり、更に、敷設したときのずれや反り変形も生じ難く、使い勝手がよく、製造コストも低く抑えることができる。
【０１２９】
そして、従来の正方形状の半畳では、模様、色、素材の異なる畳を組み合わせても、市松模様を表現できる程度でバリエーションに限りがあったが、本発明の床面構造体１においては、互いの１つの長辺を合わせることで正方形状の（８５０ｍｍ）×（８５０ｍｍ）サイズの半畳を形成する、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの組み合わせであることで、小ユニット畳Ｓと大ユニット畳Ｍの方向性を同一または変化させる配列及び組み合わせパターンが増大した多様な配列性が可能であるうえ、模様、色、素材等が異なる小ユニット畳Ｓや大ユニット畳Ｍを組み合わせた場合には、更に意匠表現の幅が拡がりバリエーションが増大し、多様な外形及び内部モザイク模様を表現できる。
【０１３０】
よって、使用者のニーズ等に応じデザインや部屋の雰囲気を大きく変化させる装飾的な効果をも有し、部屋ごとに異なる雰囲気を演出させることも可能でインテリアデザインの多様化に対応する。例えば、洋間において小ユニット畳Ｓ及び大ユニット畳Ｍを敷設することで和室のような畳空間を形成することも可能となり、また、従来の和室に小ユニット畳Ｓ及び大ユニット畳Ｍを敷設することで洋風の雰囲気に演出させることも可能である。そして、小ユニット畳Ｓや大ユニット畳Ｍの角部の４つが一か所に集中することのない配列が可能であることで、洋風のデザインにもマッチさせることができる。また、敷設する枚数や配列を変えることでも容易に雰囲気を変化させ、模様替えを行うことができ、豊富なバリエーションの外形及び内部モザイク模様の表現が可能である。
したがって、使用者の生活様式、好み、個性、部屋の用途、間取り・構造、敷設場所等に応じた使い勝手のよいものとなる。
【０１３１】
本実施例の床面構造体１を構成する短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍは、正方形状の（８５０ｍｍ）×（８５０ｍｍ）サイズの半畳を対向する一対の辺において２：３に分割され、従来の半畳より小型化され、軽量化されているため、運搬時や床下材上への敷設時の取扱いが極めて容易であり、配列変えも手軽に行うことができる。また、汚れた場合でも、交換または畳干し等の掃除も手軽に行うことができて経済的にも優れ、低コストで維持できる。更に、狭いスペースでも収納可能であり、収納したものの取り出しも容易である。加えて、軽量であることで、建物の床上支持構造にかかる荷重も少なく、建物の耐久性を向上することができる。また、省スペースでも部屋のアクセントや装飾として雰囲気を変化させることが可能となる。
【０１３２】
特に、合成樹脂で形成またはコーティング加工した畳表２０では、強度及び耐久性が高く、更に吸水性も小さくて水拭きにより汚れを落とすことが容易にでき手入れがしやすく、衛生的に保つのが容易である。よって、一般家庭の家屋のみならず、清潔さや掃除のしやすさ等が求められる飲食店等や、床材への負荷が大きく頻繁な交換が必要とされる旅館の部屋や大広場等、床材への負荷が大きいオフィス等の床材としても好適である。更に、小型かつ軽量であることに加え、上述したように多様な配列及び組み合わせパターンが可能であることで、例えば、床に配線や配管等が施されて複雑な形状の床下材や省スペースのところでも敷設可能である。
【０１３３】
また、本実施例の床面構造体１においては、小ユニット畳Ｓ及び大ユニット畳Ｍをフローリング等の上に敷設する置き畳として使用することも可能であるし、短辺と長辺の比が２：５である（短辺；３４０±２０ｍｍ）×（長辺；８５０ｍｍ）の長方形状の小ユニット畳Ｓと、短辺と長辺の比が３：５である（短辺；５１０±２０ｍｍ）×（長辺；８５０ｍｍ）の長方形状の大ユニット畳Ｍの長辺を合わせることで従来の畳の半畳サイズとなることから、従来の４帖半、６帖、８帖間といった所定規格の間取りの和室にも隙間や浮き上がりを生じさせることなく敷き込むことも可能である。
【０１３４】
特に、本実施例の床面構造体１によれば、小ユニット畳Ｓ及び大ユニット畳Ｍの厚みが１０〜２０ｍｍの範囲内で厚みが薄く、長方形状であることで、スマートな美観を表象できる。また、フローリング床等に敷設した際でも段差が小さく、躓き等による転倒を効果的に防止できる。また、床暖房が設置された床面の上に敷設した場合でも、床暖房からの熱の伝導性が高いものとなり、床暖房の床からの熱を効率的に畳表２０まで伝達することができる。更に、１０〜１８ｍｍの範囲内であると、マンション、アパート等に床面から２０ｍｍ以上離間して設置されているクローゼットの開閉扉等の下でも敷設可能となり、設置自由度が高まる。
【０１３５】
このように、本実施例の床面構造体１は、所定規格である（８５０ｍｍ）×（８５０ｍｍ）サイズの正方形状の半畳の対向する１対の辺において２：３のサイズ比で分割して、正方形半畳の２／５サイズで短辺と長辺の比を２：５とした（短辺；３４０±２０ｍｍ）×（長辺；８５０ｍｍ）の長方形状の小ユニット畳Ｓと、正方形半畳の３／５サイズで短辺と長辺の比を３：５とした（短辺；５１０±２０ｍｍ）×（長辺；８５０ｍｍ）の長方形状の大ユニット畳Ｍの組み合わせからなり、小ユニット畳Ｓと大ユニット畳Ｍが、木質ボードとしてのインシュレーションボード１１及び合成樹脂ボードとしてのプラスチック段ボール１２を芯材とし、更に芯材の上層に不織布からなるクッション材１３を配設し、また芯材の下層に合成樹脂製の裏面材１４を配設し積層した畳床１０に対して、合成樹脂で形成またはコーティング加工した畳表２０を被覆し、かつ、それらの裏面に合成樹脂発泡体からなる防滑材３０を取り付けてなるものである。
【０１３６】
したがって、本実施例の床面構造体１によれば、木質ボードとしてのインシュレーションボード１１及び合成樹脂ボードとしてのプラスチック段ボール１２からなる芯材、芯材の上層に配設した不織布からなるクッション材１３、及び芯材の下層に配設した合成樹脂製の裏面材１４によって畳床を形成することによって、予め成形されたボード等を順次重ねるだけで畳床を形成できるので製造作業の簡易化が可能であり、また、非常に軽量で取扱い易く、畳製造における既存の設備を用いて所定寸法の長方形状とする切断加工が容易である。そして、このように所定寸法に切断した畳床１０に対して、合成樹脂で形成またはコーティング加工した畳表２０を被覆し、かつ、それらの裏面に防滑材３０を取り付けることで形成される小ユニット畳Ｓと大ユニット畳Ｍは、軽量でありながらも高い強度を確保でき耐久性も良く、低コストで、寸法精度が高く一定の品質のものとなる。更に、防湿性が高く、カビやダニの繁殖を防止できる。
【０１３７】
特に、畳床１０の芯材が木質ボードとしてのインシュレーションボード１１によって形成された場合、木材の特性である抗菌性、調湿性、脱臭性、断熱性、防音・吸音性等が発揮され、多湿環境下での使用においてもダニやカビ等の繁殖が抑制されるうえ、腐食し難く安定した品質が維持される。
また、芯材としてインシュレーションボード１１に加え、合成樹脂ボードとしてのプラスチック段ボール１２を使用した場合、軽量でありながらも高い強度を確保でき耐久性も良く、更に、緩衝性が向上し、熱や湿度による伸縮や反り変形も抑えることができる。
加えて、畳床１０の上層に配設した不織布からなるクッション材１３によりクッション性が高いものとなり、防音・遮音効果も期待でき、また、寸法のばらつきを吸収できる。また、不織布で構成されていることで、通気性も確保できる。
更に、畳床１０の下層に配設した合成樹脂製の裏面材１４により裏面が強化され、また、反り変形が一層防止される。
【０１３８】
また、小ユニット畳Ｓと大ユニット畳Ｍの裏面に防滑材３０が取り付けられていることで、フローリング床等に敷設した場合でも位置ずれが防止される。よって、位置ずれにより生じる隙間にゴミや埃等が溜まってダニが繁殖しやくなる事態を防止して衛生的に保つことができ、また、位置ずれを直す手間も少なく、ずれによる転倒の危険性も小さく、使い勝手が向上する。
【０１３９】
そして、このような構成の所定寸法の長方形状とした小ユニット畳Ｓ及び大ユニット畳Ｍの組み合わせによって、長手方向及び短手方向を同一にして並行に隣接して配列した小ユニット畳Ｓと大ユニット畳Ｍから任意に選択される２枚の小ユニット畳Ｓ及び／または大ユニット畳Ｍに対し、別途小ユニット畳Ｓと大ユニット畳Ｍから任意に選択される１枚の小ユニット畳Ｓまたは大ユニット畳Ｍを、並行に配列させた２枚の小ユニット畳Ｓ及び／または大ユニット畳Ｍに対して長手方向と短手方向を逆にして直角に隣接させ、隣接させた３枚の小ユニット畳Ｓ及び大ユニット畳Ｍの隣接辺同士でＴ字状を形成するように配列することで、即ち、同一の方向性で並列させた２枚の小ユニット畳Ｓ及び／または大ユニット畳Ｍの長手方向に対して、別の１枚の小ユニット畳Ｓまたは大ユニット畳Ｍの短手方向が同一方向になるよう配列（換言すると、同一の方向性で並列させた２枚の小ユニット畳Ｓ及び／または大ユニット畳Ｍの短手方向に対して、別の１枚の小ユニット畳Ｓまたは大ユニット畳Ｍの長手方向が同一方向になるよう配列）する組み方で、小ユニット畳Ｓや大ユニット畳Ｍの角部の４つが１箇所に収集されることなく、全体を正方形状とする２帖、４帖半、８帖等に対応した敷設が可能となる。更に、全体を長方形状とする６帖等でも同様に可能である。
【０１４０】
したがって、リビング等のフローリング床等に置き畳として敷設した際でも、畳の角部の４つが１箇所に集中することで生じやすくなる位置ずれを防止でき、隣接する小ユニット畳Ｓや大ユニット畳Ｍの相互と間に隙間を生じさせにくい配列となって、隙間にゴミや埃等が溜まってダニが繁殖しやくなる事態を防止して衛生的に保つことができ、また、位置ずれを直す手間も少なく、ずれによる転倒の危険性も小さく、敷設の使い勝手が良いものとなる。
また小ユニット畳Ｓ及び大ユニット畳Ｍが従来の半畳より小型かつ軽量であることで、持ち運びや敷設作業等の取扱いが容易となり、配列変えや交換も手軽に行うことができ、更に、載置面積が小さい省スペースでも収納可能となる。
【０１４１】
加えて、１．５帖、２帖、２．５帖、３帖、３．５帖、４帖、４．５帖、５帖、５．５帖、６帖、６．５帖、７帖、７．５帖、８帖等の間の中間サイズを表現することができ、表現可能なサイズのバリエーションが増え、より使用者のニーズ等に合わせた対応が可能となる。そのうえ、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さくて全体形状が正方形に近く視覚的にバランスの良い外形表現が可能となる。勿論、このときも、隣接させる３枚の小ユニット畳Ｓや大ユニット畳Ｍを隣接辺同士でＴ字状または逆Ｔ字状を形成するように配列することで、小ユニット畳や大ユニット畳Ｍの角部の４つを一か所に収集させることのない配列が可能である。
【０１４２】
ここで、上記短辺と長辺の比を２：５とした（短辺；３４０±２０ｍｍ）×（長辺；８５０ｍｍ）の小ユニット畳Ｓと、短辺と長辺の比を３：５とした（短辺；５１０±２０ｍｍ）×（長辺；８５０ｍｍ）の大ユニット畳Ｍの数値は、本発明者らの鋭意実験研究の結果、短辺と長辺の比を２：５とした（短辺；３４０±２０ｍｍ）×（長辺；８５０ｍｍ）の長方形状の小ユニット畳Ｓと、短辺と長辺の比を３：５とした（短辺；５１０±２０ｍｍ）×（長辺；８５０ｍｍ）長方形状の大ユニット畳Ｍとの組み合わせによって、床面構造体１を形成することで、全体的な統一感があり視覚的にバランスが良くて見栄えや意匠性に優れ、かつ、１帖、２帖、３帖、４帖、５帖、６帖、７帖、８帖等の間の中間サイズや、４．５帖、６帖、８帖等の従来の畳規格以外の３帖、４帖、５帖、６帖、７帖等に対応させる場合でも、全体形状をＬ字状とする配列や全体の縦横比の差が大きく全体形状を細長の長方形状とする配列に限定されず、全体の縦横比の差が小さく全体形状が正方形に近づく視覚的にバランスの良い外形表現も可能となり、更に、畳製造における既存の設備を用いて高い寸法精度の一定の品質で切断加工が可能であり、加えて、敷設したときのずれや反り変形も生じ難くて使い勝手がよく、製造コストも低く抑えることができることを見出し、この知見に基づいて設定したものである。
【０１４３】
そして、小ユニット畳Ｓ及び大ユニット畳Ｍは長方形状であって長手方向や短手方向といった方向性が付与されていることで、方向性を同一としたり方向性を変えたりする配列及び組み合わせによって、規則的、不規則的（ランダム）、対称的といった意匠の演出が可能であり、模様、色、素材等が異なる小ユニット畳Ｓや大ユニット畳Ｍを組み合わせた場合には、更に意匠表現のバリエーションが増大し、多様な外形及び内部モザイク模様を表現できる。
また、非常に軽量で持ち運びや敷設作業等の取扱いが容易であることから、リビング等のフローリング床等に敷設した際でも、敷設する枚数や配列を変えたり交換したりするのが手軽に行え、外形及び内部モザイク模様を変化させることも容易である。
このとき、小ユニット畳Ｓ及び大ユニット畳Ｍが長方形状であることで全体的に統一感があり視覚的なバランスに優れ多様な外形及び内部モザイク模様を見栄え良く形成できる。勿論、大ユニット畳Ｍ及び小ユニット畳Ｓの互いの１つの長辺を合わせることで正方形状を形成することから、正方形状の意匠面を表象することも可能である。
よって、使用者の生活様式、好み、個性、部屋の用途、間取り・構造、敷設場所等に応じることができ、使い勝手に優れる。
【０１４４】
なお、本発明を実施する場合、床面構造体１を構成する小ユニット畳Ｓ及び大ユニット畳Ｍのその他の部分の構成、形状、材質、大きさ製造法等については、上記実施の形態及び実施例に限定されるものではない。例えば、畳表２０を畳床１０の両面に備えて、表裏両面で意匠面（使用面）を形成可能な小ユニット畳Ｓ及び大ユニット畳Ｍとすることも可能である。
【符号の説明】
【０１４５】
１  床面構造体
１０  畳床
１１  インシュレーションボード
１２  プラスチック段ボール
１３  クッション材
１４  裏面材
２０  畳表
３０  防滑材
Ｓ  小ユニット畳
Ｍ  大ユニット畳
【図１】
2017115360.tif 000003
【図２】
2017115360.tif 000004
【図３】
2017115360.tif 000005
【図４】
2017115360.tif 000006
【図５】
2017115360.tif 000007
【図６】
2017115360.tif 000008
【図７】
2017115360.tif 000009
【図８】
2017115360.tif 000010